(57)【要約】【課題】エリアのセキュリティの状況に応じて、コンテンツの出力を制御する。【解決手段】コンテンツ管理システムは、当該通信端末の位置情報を送受信する通信端末が取り付けられた表示装置と、該表示装置に出力させるコンテンツの出力制御を行うコンテンツ管理サーバとを有するコンテンツ管理システムであって、前記表示装置は、前記コンテンツ管理サーバに特定のコンテンツの取得を要求するコンテンツ取得要求手段を有し、前記コンテンツ管理サーバは、前記表示装置からの前記コンテンツの取得の要求を受け付けると、前記通信端末の前記位置情報を取得する位置情報取得手段と、取得した前記位置情報に対応するエリアに基づき、前記コンテンツの出力可否を判定する出力可否判定手段とを有する。【選択図】図１５
2014096625.tif 000002
【特許請求の範囲】
【請求項１】
当該通信端末の位置情報を送受信する通信端末が取り付けられた表示装置と、該表示装置に出力させるコンテンツの出力制御を行うコンテンツ管理サーバとを有するコンテンツ管理システムであって、
前記表示装置は、
前記コンテンツ管理サーバに特定のコンテンツの取得を要求するコンテンツ取得要求手段を有し、
前記コンテンツ管理サーバは、
前記表示装置からの前記コンテンツの取得の要求を受け付けると、前記通信端末の前記位置情報を取得する位置情報取得手段と、
取得した前記位置情報に対応するエリアに基づき、前記コンテンツの出力可否を判定する出力可否判定手段とを有するコンテンツ管理システム。
【請求項２】
当該通信端末の位置情報を送受信する通信端末が取り付けられた表示装置と、該表示装置に出力させるコンテンツの出力制御を行うコンテンツ管理サーバとを有するコンテンツ管理システムであって、
前記表示装置は、
当該表示装置に特定のコンテンツを表示させる操作を受け付けると、該コンテンツの当該表示装置での出力可否を前記コンテンツ管理サーバに問い合わせる出力可否確認手段を有し、
前記コンテンツ管理サーバは、
前記表示装置からの前記出力可否の問い合わせを受け付けると、前記通信端末の前記位置情報を取得する位置情報取得手段と、
取得した前記位置情報に対応するエリアに基づき、前記コンテンツの出力可否を判定する出力可否判定手段とを有するコンテンツ管理システム。
【請求項３】
前記コンテンツ管理サーバは、
前記エリアに対応して前記コンテンツの出力可否を定義するエリアセキュリティレベルを記憶するエリア情報記憶手段と、
前記コンテンツに対応して該コンテンツの出力可否を定義するコンテンツセキュリティレベルを記憶するコンテンツ情報記憶手段とを有し、
前記出力可否判定手段は、
取得した前記位置情報に対応する前記エリアの前記エリアセキュリティレベルと、前記コンテンツの前記コンテンツセキュリティレベルとを比較し、前記コンテンツの出力可否を判定する請求項１又は２記載のコンテンツ管理システム。
【請求項４】
当該通信端末の位置情報を送受信する通信端末が取り付けられた表示装置と、該表示装置に出力させるコンテンツの出力制御を行うコンテンツ管理サーバとを有するコンテンツ管理システムであって、
前記表示装置は、
特定のコンテンツの当該表示装置における出力可否を定義するコンテンツセキュリティレベルとともに、前記コンテンツ管理サーバに前記コンテンツの取得を要求するコンテンツ取得要求手段を有し、
前記コンテンツ管理サーバは、
前記表示装置からの前記コンテンツの取得の要求を受け付けると、前記通信端末の前記位置情報を取得する位置情報取得手段と、
取得した前記位置情報に対応するエリアと前記コンテンツセキュリティレベルとに基づき、前記コンテンツの出力可否を判定する出力可否判定手段とを有するコンテンツ管理システム。
【請求項５】
前記コンテンツ管理サーバは、
前記出力可否判定手段により判定された前記コンテンツの出力可否の結果を含む応答を前記表示装置に送信する応答手段を有し、
前記表示装置は、
前記応答に含まれた前記出力可否の結果に基づき、前記コンテンツを出力する請求項１乃至４のいずれか一項に記載のコンテンツ管理システム。
【請求項６】
前記通信端末の前記位置情報は、該通信端末に最も近い、自機が設置された位置に対応する位置情報を配信する配信装置から配信された位置情報である請求項１乃至５のいずれか一項に記載のコンテンツ管理システム。
【請求項７】
前記配信装置から配信された位置情報は、地上補完信号を用いて配信された位置情報である請求項６記載のコンテンツ管理システム。
【請求項８】
当該通信端末の位置情報を送受信する通信端末が取り付けられた表示装置に出力させるコンテンツの出力制御を行うコンテンツ管理サーバであって、
前記表示装置からの特定のコンテンツの取得の要求を受け付けると、前記通信端末の前記位置情報を取得する位置情報取得手段と、
取得した前記位置情報に対応するエリアに基づき、前記コンテンツの出力可否を判定する出力可否判定手段とを有するコンテンツ管理サーバ。
【請求項９】
前記コンテンツ管理サーバは、
前記エリアに対応して前記コンテンツの出力可否を定義するエリアセキュリティレベルを記憶するエリア情報記憶手段と、
前記コンテンツに対応して該コンテンツの出力可否を定義するコンテンツセキュリティレベルを記憶するコンテンツ情報記憶手段とを有し、
前記出力可否判定手段は、
取得した前記位置情報に対応する前記エリアの前記エリアセキュリティレベルと、前記コンテンツの前記コンテンツセキュリティレベルとを比較し、前記コンテンツの出力可否を判定する請求項８記載のコンテンツ管理システム。
【請求項１０】
当該通信端末の位置情報を送受信する通信端末が取り付けられた表示装置に出力させるコンテンツの出力制御を行うコンテンツ管理サーバにおいて実行されるコンテンツ管理プログラムであって、
前記コンテンツ管理サーバを、
前記表示装置からの特定のコンテンツの取得の要求を受け付けると、前記通信端末の前記位置情報を取得する位置情報取得手段、
取得した前記位置情報に対応するエリアに基づき、前記コンテンツの出力可否を判定する出力可否判定手段として機能させるコンテンツ管理プログラム。
【発明の詳細な説明】
【技術分野】
【０００１】
本発明は、コンテンツ管理システム、コンテンツ管理サーバ及びコンテンツ管理プログラムに関する。
【背景技術】
【０００２】
近年、可搬性の高い小型のプロジェクタやディスプレイ等の映像出力端末が普及している。このためユーザは映像出力端末を容易に持ち運び、場所を選ばす使用できる。すなわち、映像出力端末は外部への情報漏洩が懸念されるような不特定多数の者がいる場所でも使用され得る状態にある。
【０００３】
そこで、特許文献１には、デジタルコンテンツを出力する現在位置に対応するエリアのセキュリティレベル（ＥＳＬ）情報と、出力対象のデジタルコンテンツに関するコンテンツセキュリティレベル（ＣＳＬ）情報との比較を行い、その比較の結果を基に、出力対象のデジタルコンテンツの出力手段からの出力を制御する出力制御装置（プロジェクター、プリンター等）に関する技術が開示されている。具体的には、或るエリアでデジタルコンテンツを出力するケースにおいて、そのエリアのＥＳＬ以下のＣＳＬのデジタルコンテンツであれば、出力がされるし、そのＥＳＬより高いＣＳＬのデジタルコンテンツであれば、非出力とされる。また、ＥＳＬ情報はエリア毎に設置されるＥＳＬ送信装置から送信される。
【発明の概要】
【発明が解決しようとする課題】
【０００４】
しかしながら、特許文献１に記載の技術では、エリア毎にＥＳＬ情報を送信するＥＳＬ送信装置が必要となる。そのため、複数のエリアにＥＳＬを設定する場合に装置コストや設置コストが増大してしまうという問題がある。また、例えば会社内のレイアウトを変更する場合、エリアごとにＥＳＬ送信装置を追加で設置したり、ＥＳＬ情報を再設定したりしなくてはならない場合がある。さらに、ＥＳＬ送信装置が発生させる信号同士が干渉しないようにＥＳＬ送信装置を設定する必要があるため管理に手間がかかってしまうという問題がある。
【０００５】
そこで、本発明は、上記の点に鑑みてなされたものであって、エリアのセキュリティの状況に応じて、コンテンツの出力を制御することを目的とする。
【課題を解決するための手段】
【０００６】
そこで上記課題を解決するため、コンテンツ管理システムは、当該通信端末の位置情報を送受信する通信端末が取り付けられた表示装置と、該表示装置に出力させるコンテンツの出力制御を行うコンテンツ管理サーバとを有するコンテンツ管理システムであって、前記表示装置は、前記コンテンツ管理サーバに特定のコンテンツの取得を要求するコンテンツ取得要求手段を有し、前記コンテンツ管理サーバは、前記表示装置からの前記コンテンツの取得の要求を受け付けると、前記通信端末の前記位置情報を取得する位置情報取得手段と、取得した前記位置情報に対応するエリアに基づき、前記コンテンツの出力可否を判定する出力可否判定手段とを有する。
【発明の効果】
【０００７】
本発明の実施の形態によれば、エリアのセキュリティの状況に応じて、コンテンツの出力を制御できる。
【図面の簡単な説明】
【０００８】
【図１】本発明の実施の形態におけるコンテンツ管理システムの構成の一例を示す図である。
【図２】本発明の実施の形態におけるコンテンツの出力可否判定の処理概要の一例を説明するための図である。
【図３】本発明の実施の形態における通信端末のハードウェア構成の一例を示す図である。
【図４】本発明の実施の形態における位置情報のデータのフォーマットの一例を示す概念図である。
【図５】本発明の実施の形態における位置情報を含むデータのデータ構造の一例を示す概念図である。
【図６】本発明の実施の形態における配信装置のハードウェア構成図の一例を示す図である。
【図７】本発明の実施の形態における配信装置が配信する位置情報の一例を示す概念図である。
【図８】本発明の実施の形態におけるゲートウェイ装置のハードウェア構成の一例を示す図である。
【図９】本発明の実施の形態における位置情報管理サーバのハードウェア構成の一例を示す図である。
【図１０】本発明の実施の形態におけるコンテンツ管理サーバのハードウェア構成の一例を示す図である
【図１１】本発明の実施の形態における表示装置のハードウェア構成の一例を示す図である。
【図１２】本発明の実施の形態における配信装置及び通信端末の機能構成の一例を示す図である。
【図１３】本発明の実施の形態におけるゲートウェイ装置及び位置情報管理サーバの機能構成の一例を示す図である。
【図１４】本発明の実施の形態における位置情報管理サーバの位置情報記憶部に記憶される情報の一例を示す図である。
【図１５】本発明の実施の形態におけるコンテンツ管理サーバ及び表示装置の機能構成の一例を示す図である。
【図１６】本発明の実施の形態におけるコンテンツ管理サーバのコンテンツ情報記憶部に記憶される情報の一例を示す図である。
【図１７】本発明の実施の形態におけるコンテンツ管理サーバのエリア情報記憶部に記憶される情報の一例を示す図である。
【図１８】本発明の実施の形態におけるコンテンツ管理サーバの表示装置管理情報記憶部に記憶される情報の一例を示す図である。
【図１９】本発明の実施の形態におけるコンテンツ管理サーバのコンテンツデータ記憶部に記憶される情報の一例を示す図である。
【図２０】本発明の実施の形態におけるコンテンツ管理システムが通信端末の位置情報を管理する動作手順を示すシーケンス図の一例である。
【図２１】本発明の実施の形態におけるコンテンツ管理システムのコンテンツ出力可否判定の動作手順を示すシーケンス図の一例である。
【図２２】本発明の実施の形態における判定結果が出力不可である場合の表示装置に表示出力されるメッセージの一例を示す図である。
【図２３】本発明の実施の形態におけるコンテンツ管理サーバの出力可否判定の処理手順の一例を示すフローチャート図である。
【図２４】本発明の実施の形態の第1の変形例におけるコンテンツ管理サーバ及び表示装置の機能構成の一例を示す図である。
【図２５】本発明の実施の形態の第1の変形例におけるコンテンツ管理システムのコンテンツ出力可否判定の動作手順を示すシーケンス図の一例である。
【図２６】本発明の実施の形態の第２の変形例におけるコンテンツ管理システムのコンテンツ出力可否判定の動作手順を示すシーケンス図の一例である。
【図２７】本発明の実施の形態の第２の変形例におけるコンテンツセキュリティレベル指定画面の一例を示す図である。
【発明を実施するための形態】
【０００９】
以下、本発明の実施の形態について、図面を用いて説明する。
【００１０】
[システム構成]
図１は、本発明の実施の形態におけるコンテンツ管理システム１のシステム構成の一例を示す図である。図１に示されるように、コンテンツ管理システム１は、通信端末５ａ、・・・５ｎ（それぞれを区別しない場合は「通信端末５」という。）と、表示装置６ａ、・・・６ｎ（それぞれを区別しない場合は「表示装置６」という。）と、配信装置３ａ、３ｂ、３ｃ、・・・３ｎ（それぞれを区別しない場合は「配信装置３」という。）と、ゲートウェイ装置７ａ、７ｂ、・・・７ｎ（それぞれを区別しない場合は「ゲートウェイ装置７」という。）と、コンテンツ管理サーバ８と、位置情報管理サーバ９と、アクセスポイント４ａ、４ｂ、・・・４ｎ（それぞれを区別しない場合は「アクセスポイント４」という。）とを有する。通信端末５と配信装置３とゲートウェイ装置７とは、例えばＩＥＥＥ８０２．１５．４規格のアーキテクチャモデルのうち物理層とＭＡＣ層を採用したＺｉｇＢｅｅ（登録商標）によるネットワーク８９１を介して通信可能に接続されている。この場合、日本、米国、欧州等の利用領域に応じて、配信装置３は、８００ＭＨｚ帯、９００ＭＨｚ帯又は２．４ＧＨｚ帯を利用し、隣接する他の配信装置３を経由して、ゲートウェイ装置７にデータを送信することができる。ゲートウェイ装置７と位置情報管理サーバ９とは、ＬＡＮ（Local  Area  Network）又はインターネット等のネットワーク８９２を介して、通信可能に接続されている。位置情報管理サーバ９とコンテンツ管理サーバ８とは、ＬＡＮ又はインターネット等のネットワークを介して通信可能に接続されている。コンテンツ管理サーバ８と表示装置６とは、アクセスポイント４を介して、ＩＥＥＥ８０２．１１規格に準拠する無線ＬＡＮ等のネットワーク８９３を介して通信可能に接続されている。なお、ネットワーク８９１・８９２・８９３の通信方式は上記に限らず、各装置間の通信が可能であれば、例えば移動通信網や近距離無線通信規格のＩＥＥＥ８０２．１５．１（Ｂｌｕｅｔｏｏｔｈ（登録商標））等であってもよい。
【００１１】
コンテンツ管理システム１は、表示装置６の現在位置に対応するエリアのセキュリティレベル（エリアセキュリティレベル）と表示装置６により表示出力されるコンテンツのセキュリティレベル（コンテンツセキュリティレベル）とに基づき、コンテンツの出力可否を制御するシステムである。ここで、本発明の実施の形態におけるコンテンツとは、いわゆるデジタルデータ化されたデジタルコンテンツであり、映像、静止画、音声、文字等のデータである。また、コンテンツのセキュリティレベル（コンテンツセキュリティレベル）とは、コンテンツ毎に設定されるコンテンツの表示装置６における出力可否を定義するセキュリティの度合いであり、例えばコンテンツの機密性の高さの度合いである。例えば機密性が高い社外秘のコンテンツのコンテンツセキュリティレベルは高く、公衆に頒布されるような広告等のコンテンツのコンテンツセキュリティレベルは低い。また、エリアのセキュリティレベル（エリアセキュリティレベル）とは、エリア毎に設定されるコンテンツの表示装置６における出力可否を定義するセキュリティの度合いであり、例えばコンテンツが表示出力されるエリアの公共性や機密性に応じて設定される。例えば、会社の会議室等のような特定の利用者に限定されるエリアのエリアセキュリティレベルは高く、会社の受付ロビーのような不特定の者がいる可能性の高いエリアのエリアセキュリティレベルは低い。なお、コンテンツとエリアとのセキュリティレベルを区別しない場合は、単にセキュリティレベルという。
【００１２】
配信装置３は、例えば室内の天井に設置された電気機器２ａ、２ｂ、２ｃ、・・・２ｎ（それぞれを区別しない場合は「電気機器２」という。）に内蔵されるか又はこれらの外部に取り付けられている。電気機器２は、配信装置３に対して電力を供給する。電気機器２は、例えば蛍光灯型ＬＥＤ(Light  Emitting  Diode)照明器具である。なお、電気機器２はＬＥＤ照明器具に限らず、例えば一般の蛍光灯や換気扇、スピーカ、監視カメラ、エアコン等であってもよい。配信装置３は、自機が固定された位置に対応する位置情報を所有し、その位置情報を無線信号により所定の範囲に対して連続的又は断続的に送信する。所定の範囲は、用いられる無線信号の信号強度及び送信アンテナの指向性等によって定められる。配信装置３は、位置の管理対象となる領域をカバーするように配置され、それぞれの領域が重複しないように構成される。あるいは重複する場合であっても、位置情報を受信する側において、受信電波の強度に基づいて、いずれか一つの配信装置３が決定できるように構成される。図１の例では、配信装置３の下方に示される円錐型の点線が、所定の範囲を表している。位置情報を送信する通信方式として、例えば地上補完信号ＩＭＥＳ（Indoor  Messaging  System）を用いることができる。また、配信装置３は通信端末５又はゲートウェイ装置７に対して位置情報以外のデータも送受信できる。
【００１３】
通信端末５は、表示装置６に取り付けられており、例えばＲＦＩＤ（Radio  Frequency  IDentification）タグである。通信端末５は、例えば配信装置３から送信される地上補完信号ＩＭＥＳ規格に準ずる測位信号を受信して、位置情報を取得する。そして、通信端末５は、ネットワーク８９１を介して、受信した位置情報を位置情報管理サーバ９に送信する。なお、通信端末５から送信される位置情報には、通信端末５を一意に識別する識別情報が含まれる。ここで識別情報とは、例えば通信端末５のＭＡＣ（Media  Access  Control）アドレスである。
【００１４】
表示装置６は、例えばプロジェクタ、液晶や有機ＥＬ（Electro  Luminescence）等のディスプレイ、ＰＣ（Personal  Computer）、スマートフォン等のスマートデバイス、プリンタ、ＭＦＰ（Multifunction Peripheral）等である。表示装置６は、ネットワーク８９３（アクセスポイント４）を介し、コンテンツ管理サーバ８とデータの送受信をするための通信機能、コンテンツを表示出力する表示出力機能、情報記憶機能等を有する。なお、例えば表示装置６がプロジェクタである場合、プロジェクタにＰＣを接続させ、ＰＣがコンテンツをコンテンツ管理サーバ８から受信する通信機能等を備える構成にしてもよい。
【００１５】
ゲートウェイ装置７は、ネットワーク８９１とネットワーク８９２とを相互に接続し、一方のネットワークから送信されたデータを他方のネットワークにブリッジする。ゲートウェイ装置７は、例えば建物のフロア毎又は壁等で仕切られた部屋毎に設置される。ネットワーク８９１がＩＥＥＥ８０２．１５．４規格及びＺｉｇＢｅｅ（登録商標）によるネットワークであり、ネットワーク８９２がＩＥＥＥ８０２．３規格に準拠するＬＡＮである場合は、それらの間の通信方式の変換を行う。
【００１６】
位置情報管理サーバ９は、通信端末５の位置情報を管理する位置情報管理機能及び情報通信機能等を有する。
【００１７】
ここで、位置情報管理サーバ９による位置情報の管理方法の一例の概略を説明する。
【００１８】
本発明の実施の形態では、例えば、天井に設置されている配信装置３は、無線通信によりこの配信装置３が設置された位置を示す位置情報を配信する。これにより、通信端末５は配信装置３から配信された位置情報を受信する。
【００１９】
次に、通信端末５は、無線通信により配信装置３に、通信端末５を識別するための識別情報と受信した位置情報とを送信する。この場合、通信端末５は、配信装置３から配信され受信した位置情報を、配信装置３に送り返すことになる。これにより、配信装置３は、通信端末５の識別情報及び位置情報を受信する。
【００２０】
次に、配信装置は、無線通信により、ゲートウェイ装置７に通信端末５の識別情報及び位置情報を送信する。
【００２１】
そして、ゲートウェイ装置７は、ネットワーク８９２を介して位置情報管理サーバ９に通信端末５の識別情報及び位置情報を送信する。
【００２２】
位置情報管理サーバ９では、通信端末５の識別情報及び位置情報を管理することで、位置情報管理サーバ９の管理者は、通信端末５及び通信端末５が取り付けられた表示装置６の屋内における位置を把握できる。
【００２３】
なお、通信端末５は、位置情報を送信した配信装置３よりさらに近傍にゲートウェイ装置７が存在する場合には、位置情報等のデータをゲートウェイ装置７に送信してもよい。これにより、最短経路で通信端末５の識別情報と位置情報とを位置情報管理サーバ９に送信できる。
【００２４】
コンテンツ管理サーバ８は、表示装置６に表示出力させるコンテンツを記憶する情報記憶機能、ネットワーク８９３（アクセスポイント４）を用いた表示装置６とのデータの送受信及び位置情報管理サーバ９とのデータの送受信のための通信機能等を有する。また、コンテンツ管理サーバ８は、エリア（例えば受付ロビー、応接室、会議室等）に対応したセキュリティレベル（エリアセキュリティレベル）と、コンテンツ毎のセキュリティレベル（コンテンツセキュリティレベル）とを記憶する。そして、エリアセキュリティレベルとコンテンツセキュリティレベルとに基づき、表示装置６において出力対象であるコンテンツの出力可否を判定する。
【００２５】
［システム動作概要］
本発明の実施の形態におけるコンテンツ管理システム１の動作概要を説明する。
【００２６】
（１）表示装置６に取り付けられた通信端末５は、周期的（例えば６０秒周期）又は加速度センサによる動作の検知を契機に行われる位置情報の受信処理により、配信装置３から定期的（例えば３０秒周期）に送信される位置情報を受信する。次いで、通信端末５は、位置情報管理サーバ９に対して受信した位置情報と通信端末５の識別情報とをネットワーク８９１を介して送信する。位置情報管理サーバ９は、通信端末５の識別情報と位置情報とを対応付けて記憶する。なお、（１）の動作は以降の動作と独立して実行される。
【００２７】
（２）コンテンツ管理サーバ８は、エリアセキュリティレベルが記憶されるデータベース、コンテンツセキュリティレベルが記憶されるデータベース、表示装置６の識別情報とその表示装置６に取り付けられた通信端末５の識別情報とを対応付けたデータベース及びコンテンツのファイル又はファイルの格納先アドレスが記憶されたデータベースを有している。
【００２８】
（３）表示装置６は、コンテンツ管理サーバ８から表示出力対象のコンテンツを取得するためのコンテンツ取得要求をネットワーク８９３によりコンテンツ管理サーバ８に送信する。コンテンツ取得要求には、表示出力対象のコンテンツ名と、表示装置６の識別情報とが含まれている。
【００２９】
（４）コンテンツ管理サーバ８は、コンテンツ取得要求を受信すると、まず表示装置６の識別情報に基づき、その表示装置６に取り付けられた通信端末５の識別情報を抽出する。次に、抽出した通信端末５の識別情報に基づき、位置情報管理サーバ９から通信端末５の位置情報を取得する。そして、取得した通信端末５の位置情報に対応するエリアのエリアセキュリティレベルを取得する。また、コンテンツ取得要求に含まれているコンテンツ名に基づき、コンテンツセキュリティレベルを取得する。取得したエリアセキュリティレベルとコンテンツセキュリティレベルとに基づき、表示出力対象のコンテンツの出力可否を判定する。出力可否の判定処理の概要を図２に基づき説明する。
【００３０】
図２は、本発明の実施の形態におけるコンテンツの出力可否判定の処理概要の一例を説明するための図である。図２に示されるように、図１の例に対応する「エリアＡ：受付ロビー」、「エリアＢ：応接室」、「エリアＣ：会議室」には、例えばそれぞれエリアセキュリティレベル「低」、「中」、「高」が設定されている。そして、図２には表示出力対象のコンテンツ毎に設定されるコンテンツセキュリティレベルが「高」、「中」、「低」の場合に、各エリアで表示出力が可能か否かについて示されている。図２に示されるように、コンテンツセキュリティレベルが「高」の場合、エリアセキュリティレベル「低」、「中」では表示出力が不可であり、エリアセキュリティレベルが「高」では表示出力が可能である。すなわち、例えば高い機密性が要求される社外秘扱い等のコンテンツは、不特定の者に視聴される可能性があるエリア（受付ロビー等）では出力できないことになる。一方、会議室等のように特定の者（社員等の関係者）が利用する可能性の高いエリアでは、例えば社外秘扱いのコンテンツは出力できる。コンテンツセキュリティレベルが「中」、「低」の場合も同様な基準に基づき出力可否が判定される。したがって、コンテンツの出力可否の判定は、図２に示されるように、エリアセキュリティレベルがコンテンツセキュリティレベル以上である場合はコンテンツの表示出力を可とし、そうでない場合はコンテンツの表示出力は不可として処理される。なお、図２に示すコンテンツセキュリティレベルの「高」、「中」、「低」はあくまで例示である。本発明の実施の形態では、コンテンツ管理システム１におけるセキュリティレベルは数値として表示される。また、セキュリティレベルは「高」、「中」、「低」のような３段階に限るものではなく、より詳細に（例えば５段階）設定できる。また、セキュリティレベルは、コンテンツ管理システム１の管理者等によって任意に設定変更できる。
【００３１】
（５）コンテンツ管理サーバ８における表示出力可否の判定結果に基づき、コンテンツ取得要求応答を生成し、表示装置６に送信する。なお、判定結果が出力可である場合、コンテンツ取得要求応答には表示出力対象の要求されたコンテンツのファイル又はファイルの格納先アドレスが含まれる。一方、判定結果が出力不可である場合、コンテンツ取得要求応答には、表示出力対象のコンテンツが出力不可であることを示す情報が含まれる。
【００３２】
（６）表示装置６は、受信したコンテンツ取得要求応答に含まれる情報に基づき、表示出力対象のコンテンツの出力又は非出力の処理を実行する。
【００３３】
以上、（１）〜（６）の動作によりコンテンツ管理システム１は、エリアのセキュリティレベルとコンテンツのセキュリティレベルとに基づき、表示装置６におけるコンテンツの出力処理を制御できる。
【００３４】
[ハードウェア構成]
＜通信端末＞
図３は、本発明の実施の形態における通信端末５のハードウェア構成の一例を示す図である。
【００３５】
図３に示されるように、通信端末５は、制御部１４及び無線通信部１５によって構成されている。
【００３６】
このうち、制御部１４は、制御部１４全体の動作を制御するＣＰＵ４０１、基本入出力プログラムを記憶したＲＯＭ４０２、ＣＰＵ４０１のワークエリアとして使用されるＲＡＭ４０３、配信装置３から配信される位置情報を受信する通信回路４０４及びアンテナ４０４ａ、加速度を検出する加速度センサ４０５、無線通信部１５と信号の送受信を行うＩ／Ｆ４０８、及び上記各部を電気的に接続するためのアドレスバスやデータバス等のバスライン４０９を備えている。また、制御部１４は、ボタン電池４０６も設けられており、このボタン電池４０６によって駆動される。なお、本発明の実施の形態では、ボタン電池４０６を使う場合について説明するが、ボタン型に限らず、単３もしくは単４等の乾電池又は通信端末５に専用の電池であってもよい。
【００３７】
通信回路４０４は、アンテナ４０４ａによって、ＩＭＥＳを利用して配信された位置情報を受信する。また、制御部１４は、コネクタ４０９ａを介して無線通信部１５に、ボタン電池４０６の電力を供給する。さらに、制御部１４は、Ｉ／Ｆ４０８からコネクタ４０９ｂを介して無線通信部１５とデータ（信号）の送受信を行う。
【００３８】
また、加速度センサ４０５は、通信端末５の加速度の変化を検出する。加速度の変化は、例えば、通信端末５が移動を開始した時、通信端末５が移動を停止した時又は通信端末５が傾いた時等に検出される。ＣＰＵ４０１の処理が停止中の場合、加速度センサ４０５が加速度の変化を検出すると、ＣＰＵ４０１へ処理を始動させるための信号を送信する。これにより、ＣＰＵ４０１は、自己の処理を始動させると共に、通信回路４０４に対して処理を始動させるための信号を送信する。よって、位置情報が配信装置３から配信されている場合、通信端末５の通信回路４０４は、アンテナ４０４ａを介して位置情報の受信を開始することができる。
【００３９】
一方、無線通信部１５は、上記無線通信部１３と基本的に同じ構成を有し、無線通信部１３と同じ帯域を利用して、配信装置３の無線通信部１３とデータの送受信を行うことができる。そして、無線通信部１５は、図３に示されるように、無線通信部１５全体の動作を制御するＣＰＵ５０１、基本入出力プログラム及び識別情報を記憶したＲＯＭ５０２、ＣＰＵ５０１のワークエリアとして使用されるＲＡＭ５０３、位置情報や識別情報を送信する通信回路５０４及びアンテナ５０４ａ、制御部１４と信号の送受信を行うＩ／Ｆ５０８、及び、上記各部を電気的に接続するためのアドレスバスやデータバス等のバスライン５０９を備えている。なお、無線通信部１５においても、ＺｉｇＢｅｅ（登録商標）を用いてもよい。
【００４０】
また、通信回路５０４は、ＣＰＵ５０１からの命令により、コネクタ４０９ｂを介して、制御部１４のＲＡＭ４０３に記憶されている位置情報を取得する。さらに、通信回路５０４は、ＲＯＭ５０２に記憶されている識別情報を読み出し、上記取得された位置情報と共にアンテナ５０４ａを介して配信装置３へ送信する。
【００４１】
また、通信回路５０４によって送信される位置情報のデータは、図４に示すようなフォーマットにより構成されている。図４は、本発明の実施の形態における位置情報のデータのフォーマットの一例を示す概念図である。図４の例では、階数、緯度、経度、棟番号の各フィールドが、それぞれ９ビット、２１ビット、２１ビット、８ビットで表現され、各フィールドの表現形式はＩＭＥＳ規格に準ずる。実際にはこのフォーマットに加えて通信方式によって規定されるヘッダやチェックサム情報が付加され、図５に示されるように送信先、送信元及びデータ内容（位置情報等）が含まれている。図５は、本発明の実施の形態における位置情報を含むデータのデータ構造の一例を示す概念図である。
【００４２】
＜配信装置＞
図６は、本発明の実施の形態における配信装置３のハードウェア構成の一例を示す図である。なお、図６の例は、配信装置３が内蔵される電気機器２がＬＥＤ照明器具の場合の蛍光灯型ＬＥＤランプのハードウェア構成図である。
【００４３】
図６に示されるように、ＬＥＤランプ１３０は、主に電源制御部１４０、リード線（１５１ａ、１５１ｂ）、端子ピン（１５２ａ１、１５２ａ２、１５２ｂ１、１５２ｂ２）、リード線１５３、リード線１５４、リード線１５５及び配信装置３によって構成されている。このうち電源制御部１４０は、電源から出力される電流を制御し、主に、電流監視回路１４１及び平滑回路１４２によって構成されている。電流監視回路１４１は、電源から出力される電流を入力して整流する。平滑回路１４２は、電流監視回路１４１によって整流された電流を平滑し、リード線（１５１ａ、１５１ｂ）を介して各端子ピン（１５２ａ１、１５２ａ２、１５２ｂ１、１５２ｂ２）に電力を供給する。
【００４４】
また、電源制御部１４０と端子ピン（１５２ａ１、１５２ａ２、１５２ｂ１、１５２ｂ２）は、リード線（１５１ａ、１５１ｂ）によって電気的に接続されている。電源制御部１４０と配信装置３は、リード線１５４によって電気的に接続されている。なお、ＬＥＤ１６０は、図６において一つだけ示しているが、実際には複数のＬＥＤが取り付けられている。また、図６に示される構成のうち配信装置３以外は一般のＬＥＤランプと同じ構成である。
【００４５】
配信装置３は、電圧変換器１００、リード線１５５、制御部１１、位置情報配信部１２及び無線通信部１３によって構成されている。そして、電圧変換器１００がリード線１５５を介して、制御部１１、位置情報配信部１２及び無線通信部１３に電気的に接続されている。
【００４６】
このうち電圧変換器１００は、電源制御部１４０から供給された電力の電圧を配信装置３の駆動電圧に変換し、制御部１１、位置情報配信部１２及び無線通信部１３へ供給する電子部品である。
【００４７】
また、制御部１１は、制御部１１全体の動作を制御するＣＰＵ１０１、基本入出力プログラムを記憶したＲＯＭ１０２、ＣＰＵ１０１のワークエリアとして使用されるＲＡＭ１０３、位置情報配信部１２及び無線通信部１３とそれぞれ信号の送受信を行うＩ／Ｆ（１０８ａ、１０８ｂ）並びに上記各部を電気的に接続するためのアドレスバスやデータバス等のバスライン１０９を備えている。
【００４８】
また、位置情報配信部１２は、位置情報配信部１２全体の動作を制御するＣＰＵ２０１、基本入出力プログラム及び位置情報を記憶したＲＯＭ２０２、位置情報を配信する通信回路２０４及びアンテナ２０４ａ、制御部１１と信号の送受信を行うＩ／Ｆ２０８、並びに、上記各部を電気的に接続するためのアドレスバスやデータバス等のバスライン２０９を備えている。
【００４９】
このうち通信回路２０４は、屋内ＧＰＳと呼ばれる屋内測位技術の一つであるＩＭＥＳを利用し、アンテナ２０４ａによって位置情報を配信する。なお、図１には、位置情報の到達可能な範囲（配信可能な範囲）が仮想的に破線によって表されている。本発明の実施の形態のＩＭＥＳでは、例えば屋内の天井高が約３ｍの場合に、屋内の床に表された位置情報の到達可能な仮想円の半径が約５ｍとなるように、送信出力が設定される。但し、この送信出力の設定を変更すれば、５ｍよりも小さくすることも可能であり、大きくすることも可能である。
【００５０】
また、本発明の実施の形態において配信装置３が配信する位置情報は、蛍光灯型ＬＥＤ照明器具である電気機器２が設置された位置を示し、図７に示されるように、階数、緯度、経度、棟番号の項目を含む。なお、図７は、配信装置が配信する位置情報の概念図である。
【００５１】
このうち階数は、電気機器２（配信装置３）が設置される建物の階数を表す。緯度及び経度は、電気機器２（配信装置３）が設置された位置の緯度及び経度を表す。棟番号は、電気機器２（配信装置３）が設置された建物の棟番号を表す。図７の例では、電気機器２（配信装置３）は、ある建物のＣ棟の１６階で、緯度が北緯３５．６６６６０度、経度が東経１３９．７６５２０度の地点に設置されていることが示されている。なお、緯度は南緯、経度は西経により表されてもよい。
【００５２】
図６に戻り説明する。無線通信部１３は、無線通信部１３全体の動作を制御するＣＰＵ３０１、基本入出力プログラム及び装置識別情報を記憶したＲＯＭ３０２、ＣＰＵ３０１のワークエリアとして使用されるＲＡＭ３０３、位置情報や識別情報を受信してゲートウェイ装置７に送信する通信回路３０４及びアンテナ３０４ａ、制御部１１と信号の送受信を行うＩ／Ｆ３０８、及び、上記各部を電気的に接続するためのアドレスバスやデータバス等のバスライン３０９を備えている。
【００５３】
また、無線通信部１３は、９２０ＭＨｚ帯を利用してデータの送受信を行う。９２０ＭＨｚ帯は、電波到達性が高いため配信装置３とゲートウェイ装置７との間に建物の柱や壁が存在している場合であっても、配信装置３からゲートウェイ装置７にデータを送信することができるという効果を奏する。
【００５４】
さらに、通信回路３０４は、ＩＥＥＥ８０２．１５．４規格のアーキテクチャモデルのうち少なくとも物理層（レイヤ）の規格を利用し、アンテナ３０４ａによってデータの送受信を行う。また、この場合には、配信装置３（無線通信部１３）を識別するための装置識別情報として、ＭＡＣアドレスを用いることができる。
【００５５】
なお、通信回路３０４が用いる規格がＺｉｇＢｅｅ(登録商標)である場合は、隣接する他の配信装置３を経由して、ゲートウェイ装置７にデータを送信できる。このように他の配信装置３を経由してデータを送信するマルチホップ通信を利用すれば、各配信装置３の無線通信部１３は、ルーティング処理に時間が掛かるが、最寄りの配信装置３にデータが到達する程度の電力で通信すればよいため、省電力で駆動することができるというメリットがある。
【００５６】
また、配信装置３により配信される位置情報は、配信装置３の工場出荷前にメーカーによって記憶部２９に記憶されてもよいし、配信装置３の工場出荷後で天井に電気機器２が設置される際に設置者によって記憶されてもよい。さらに、位置情報は、位置情報管理サーバ９等の外部の装置から、ゲートウェイ装置７を介して無線通信により無線通信部１３の通信回路３０４が受信し、制御部１１を介して位置情報配信部１２のＲＯＭ２０２に記憶されるようにしてもよい。
【００５７】
＜ゲートウェイ装置＞
図８に示されるように、ゲートウェイ装置７は、無線通信部１７及び有線通信部１８によって構成されている。
【００５８】
このうち無線通信部１７は、上記無線通信部１３と基本的に同じ構成を有し、無線通信部１３と同じ帯域を利用して、配信装置３の無線通信部１３とデータの送受信を行うことができる。無線通信部１７は、図８に示されるように、無線通信部１７全体の動作を制御するＣＰＵ７０１、基本入出力プログラム及び装置識別情報を記憶したＲＯＭ７０２、ＣＰＵ７０１のワークエリアとして使用されるＲＡＭ７０３、位置情報等を送信する通信回路７０４及びアンテナ７０４ａ、有線通信部１８と信号の送受信を行うＩ／Ｆ７０８及び上記各部を電気的に接続するためのアドレスバスやデータバス等のバスライン７０９を備えている。また、無線通信部１７は、Ｉ／Ｆ７０８からコネクタ７０９ａを介して有線通信部１８と信号の送受信を行う。
【００５９】
なお、無線通信部１７においても、ＺｉｇＢｅｅ(登録商標)を利用してもよい。また、装置識別情報は、ゲートウェイ装置７（無線通信部１７）を識別するための固有の情報である。装置識別情報としては、例えば、ＭＡＣアドレスが挙げられる。
【００６０】
一方、有線通信部１８は、図８に示されるように、有線通信部１８全体の動作を制御するＣＰＵ８０１、基本入出力プログラム及びアドレス情報を記憶したＲＯＭ８０２、ＣＰＵ８０１のワークエリアとして使用されるＲＡＭ８０３、イーサネットコントローラ８０５、無線通信部１７と信号の送受信を行うＩ／Ｆ８０８ａ、ケーブル８０９を介しＬＡＮ８ｅに対しデータ（信号）の送受信を行うＩ／Ｆ８０８ｂ及び上記各部を電気的に接続するためのアドレスバスやデータバス等のバスライン８０９を備えている。
【００６１】
ここで、ＣＰＵ８０１及びイーサネットコントローラ８０５は、ＩＥＥＥ８０２．１５．４規格に準拠した通信方式（通信プロトコル）を、ＩＥＥＥ８０２．３規格に準拠した通信方式（通信プロトコル）に変換して、配信装置３から送られて来た各種データ（情報）を、イーサネット（登録商標）のパケット通信ができるように制御する。
【００６２】
さらに、アドレス情報は、ゲートウェイ装置７（有線通信部１８）を識別するための固有の情報である。アドレス情報としては、例えば、ＩＰ(Internet  Protocol  Address)アドレスが挙げられる。なお、ＲＯＭ８０２には、ＭＡＣアドレスも記憶されているが、位置情報管理サーバ９との通信を簡単に説明するため、その説明を省略する。
【００６３】
＜位置情報管理サーバ＞
図９は、本発明の実施の形態における位置情報管理サーバ９のハードウェア構成の一例を示した図である。
【００６４】
位置情報管理サーバ９は、コンピュータによって構成されている。そして、位置情報管理サーバ９は、位置情報管理サーバ９全体の動作を制御するＣＰＵ９０１、ＩＰＬ（Initial  Program  Loader）等のＣＰＵ９０１の駆動に用いられるプログラムを記憶したＲＯＭ９０２、ＣＰＵ９０１のワークエリアとして使用されるＲＡＭ９０３、位置情報管理サーバ９用のプログラム等の各種データやアドレス情報を記憶するＨＤ９０４、ＣＰＵ９０１の制御にしたがってＨＤ９０４に対する各種データの読み出し又は書き込みを制御するＨＤＤ９０５、フラッシュメモリ等の記録メディア９０６に対するデータの読み出し又は書き込み（記憶）を制御するメディアドライブ９０７、カーソル、メニュー、ウィンドウ、文字又は画像等の各種情報を表示するディスプレイ９０８、ネットワーク８９２及びネットワーク８９３を利用してデータ通信するためのネットワークＩ／Ｆ９０９、文字、数値、各種指示等の入力のための複数のキーを備えたキーボード９１１、各種指示の選択や実行、処理対象の選択、カーソルの移動等を行うマウス９１２、着脱可能な記録媒体の一例としてのＣＤ−ＲＯＭ９１３に対する各種データの読み出し又は書き込みを制御するＣＤ−ＲＯＭドライブ９１４、無線通信を行う通信回路９１５及びアンテナ９１５ａ、外部機器を接続するための外部機器Ｉ／Ｆ９１６並びに上記各構成要素を電気的に接続するためのアドレスバスやデータバス等のバスライン９１０を備えている。
【００６５】
さらに、アドレス情報は、位置情報管理サーバ９を識別するための固有の情報である。アドレス情報としては、ＩＰアドレスが挙げられる。なお、ＲＯＭ９０２には、ＭＡＣアドレスも記憶されているが、ゲートウェイ装置７との通信を簡単に説明するため、その説明を省略する。
【００６６】
＜コンテンツ管理サーバ＞
図１０は、本発明の実施の形態におけるコンテンツ管理サーバ８のハードウェア構成の一例を示した図である。
【００６７】
コンテンツ管理サーバ９は、コンピュータによって構成されている。そして、コンテンツ管理サーバ８は、コンテンツ管理サーバ８全体の動作を制御するＣＰＵ８２１、ＩＰＬ等のＣＰＵ８２１の駆動に用いられるプログラムを記憶したＲＯＭ８２２、ＣＰＵ８２１のワークエリアとして使用されるＲＡＭ８２３、コンテンツ管理サーバ８用のプログラム等の各種データやアドレス情報を記憶するＨＤ８２４、ＣＰＵ８２１の制御にしたがってＨＤ８２４に対する各種データの読み出し又は書き込みを制御するＨＤＤ８２５、フラッシュメモリ等の記録メディア８２６に対するデータの読み出し又は書き込み（記憶）を制御するメディアドライブ８２７、カーソル、メニュー、ウィンドウ、文字又は画像等の各種情報を表示するディスプレイ８２８、ネットワーク８９２及びネットワーク８９３を利用してデータ通信するためのネットワークＩ／Ｆ８２９、文字、数値、各種指示等の入力のための複数のキーを備えたキーボード８３１、各種指示の選択や実行、処理対象の選択、カーソルの移動等を行うマウス８３２、着脱可能な記録媒体の一例としてのＣＤ−ＲＯＭ８３３に対する各種データの読み出し又は書き込みを制御するＣＤ−ＲＯＭドライブ８３４、無線通信を行う通信回路８３５及びアンテナ８３５ａ、外部機器を接続するための外部機器Ｉ／Ｆ８３６並びに上記各構成要素を電気的に接続するためのアドレスバスやデータバス等のバスライン８３０を備えている。
【００６８】
さらに、アドレス情報は、コンテンツ管理サーバ８を識別するための固有の情報である。アドレス情報としては、ＩＰアドレスが挙げられる。なお、ＲＯＭ８２２には、ＭＡＣアドレスも記憶されている。
【００６９】
＜表示装置＞
図１１は、本発明の実施の形態における表示装置６のハードウェア構成の一例を示した図である。表示装置６には通信端末５が外部に取り付けられている。但し、通信端末５が表示装置６に内蔵されている構成でもよい。
【００７０】
図１１に示されるように、表示装置６は、表示装置６全体の動作を制御するＣＰＵ６０１、基本入出力プログラムを記憶したＲＯＭ６０２、ＣＰＵ６０１のワークエリアとして使用されるＲＡＭ６０３、フラッシュメモリ等の記録メディア６０４に対するデータの読み出し又は書き込み（記憶）を制御するメディアドライブ６０５を備えている。そして、メディアドライブ６０５の制御に従って、既に記録されていたデータが読み出され又は新たにデータが書き込まれて記憶する記録メディア６０４が着脱自在な構成となっている。
【００７１】
さらに、表示装置６は、アクセスポイント４とＩＥＥＥ８０２．１１規格に準拠する無線ＬＡＮ通信を行う無線ＬＡＮ通信部６０６、光を透過させることで画像を出力する液晶パネル６０７、ユーザに対する情報を表示する液晶や有機ＥＬ等のディスプレイ６０８、ユーザからの入力を受け付けるインタフェースであるハードボタンやリモコン、ソフトキー等の入力部６０９、電気信号を音に変換し音声出力に用いられるスピーカ６１０及び上記各部を電気的に接続するためのアドレスバスやデータバス等のバスライン６１１を備えている。なお、無線ＬＡＮ通信に用いられるＩＰアドレスはＲＡＭ６０３に記憶され、表示装置６のＭＡＣアドレスはＲＯＭ６０２に記憶されている。
[機能構成]
図１２は、本発明の実施の形態における配信装置３及び通信端末５の機能構成の一例を示す図である。
【００７２】
＜配信装置＞
まず配信装置３の機能構成を説明する。図１２に示されるように、配信装置３は、機能又は手段として、変換部１０、配信制御部２０、無線通信制御部３０を有する。このうち変換部１０は、図６に示される電圧変換器１００が動作することによって実現される機能又は手段である。
【００７３】
また、配信制御部２０は、図６に示される制御部１１及び位置情報配信部１２が動作することによって実現される機能又は手段である。さらに、無線通信制御部３０は、図６に示される制御部１１及び無線通信部１３が動作することによって実現される機能又は手段である。
【００７４】
配信制御部２０は、図６に示されるＲＯＭ２０２により構築される記憶部２９を有する。この記憶部２９には、配信装置３が設置されている位置を示す位置情報が記憶されている。さらに、配信制御部２０は、配信部２１、通信部２７及び記憶・読出部２８を有する。
【００７５】
このうち配信部２１は、図６に示されるＣＰＵ２０１及び通信回路２０４の処理によって実現され、配信可能な範囲内に位置情報を配信する。
【００７６】
通信部２７は、図６に示されるＣＰＵ１０１・２０１の処理、並びにＩ／Ｆ１０８ａ・２０８及びバス１０９・２０９によって実現され、無線通信制御部３０とのデータ（信号）の通信を行う。
【００７７】
記憶・読出部２８は、図６に示されるＣＰＵ１０１・２０１の処理によって実現され、記憶部２９に各種データを記憶し、記憶部２９から各種データを読み出す。記憶・読出部２８は、例えば、位置情報のデータの記憶や読み出しを行う。
【００７８】
また、無線通信制御部３０は、図６に示されるＲＡＭ３０３によって構築される記憶部３９を有している。この記憶部３９には、アドレス情報（例えばＩＰアドレス）が記憶されている。
【００７９】
送受信部３１は、図６に示されるＣＰＵ３０１及び通信回路３０４の処理によって実現され、無線通信によって、通信端末５又はゲートウェイ装置７と各種データの送受信を行う。
【００８０】
通信部３７は、図６に示されるＣＰＵ１０１・３０１の処理並びにＩ／Ｆ１０８Ｂ・３０８及びバス１０９・３０９によって実現され、配信制御部２０とのデータ（信号）の通信を行う。
【００８１】
記憶・読出部３８は、記憶部３９に各種データを記憶し、記憶部３９から各種データを読み出す。
【００８２】
＜通信端末＞
次に、通信端末５の機能構成を説明する。図１２に示されるように、通信端末５は、機能又は手段として、受信制御部４０及び無線通信制御部５０を有している。
【００８３】
受信制御部４０は、図３に示されるＲＡＭ４０３によって構築される記憶部４９を有する。記憶部４９には、配信装置３から配信された位置情報を記憶できる。さらに、受信制御部４０は、受信部４１、検知部４２、判断部４３、測定部４４、通信部４７及び記憶・読出部４８を有する。
【００８４】
このうち受信部４１は、図３に示されるＣＰＵ４０１及び通信回路４０４の処理によって実現され、配信装置３から配信された位置情報を受信する。また、受信部４１は、位置情報を受信可能な状態になったり受信不可能な状態になったりする。
【００８５】
検知部４２は、図３に示されるＣＰＵ４０１及び加速度センサ４０５の処理によって実現され、通信端末５の移動（傾きを含む）を検知し、受信部４１に処理を開始させる。なお、検知部４２は、加速度センサ４０５に代えて、慣性力や磁気を用いたモーションセンサによって実現してもよい。
【００８６】
判断部４３は、図３に示されるＣＰＵ４０１の処理によって実現され、受信部４１によって、少なくとも一つの位置情報を受信したかを判断する。さらに、判断部４３は、受信部４１によって、複数の配信装置３からそれぞれの位置情報を受信したかを判断する。なお、この場合、同じ配信装置３から配信された位置情報は、所定時間内に複数回受信しても一つとして扱う。
【００８７】
測定部４４は、図３に示されるＣＰＵ４０１の処理によって実現され、判断部４３によって、複数の配信装置３から、それぞれの位置情報を受信したと判断された場合には、それぞれの位置情報に係る信号強度を測定する。
【００８８】
通信部４７は、図３に示されるＣＰＵ４０１の処理並びにＩ／Ｆ４０８及びバス４０９によって実現され、無線通信制御部５０とのデータ（信号）の通信を行う。
【００８９】
記憶・読出部４８は、ＣＰＵ４０１の処理によって実現され、記憶部４９に各種データを記憶し、記憶部４９から各種データを読み出す。記憶・抽出部４８は、例えば、位置情報のデータの記憶や読み出しを行う。
【００９０】
また、無線通信制御部５０は、図３に示されるＲＡＭ５０３によって構築される記憶部５９を有する。この記憶部５９には、識別情報（例えばＭＡＣアドレス等）が記憶されている。さらに、無線通信制御部５０は、送受信部５１、判断部５３、測定部５４、通信部５７及び記憶・読出部５８を有する。
【００９１】
送受信部５１は、図３に示されるＣＰＵ５０１及び通信回路５０４の処理によって実現され、無線通信により、配信装置３と各種データの送受信を行う。
【００９２】
判断部５３は、図３に示されるＣＰＵ５０１の処理によって実現され、受信部５１によって、少なくとも一つの配信装置３の装置識別情報を受信したかを判断する。さらに、判断部５３は、受信部５１によって、複数の配信装置３からそれぞれの装置識別情報を受信したかを判断する。なお、この場合、同じ配信装置３から送信された装置識別情報は、所定時間内に何度受信しても一つとして扱う。
【００９３】
測定部５４は、主に、図３に示されるＣＰＵ５０１の処理によって実現され、判断部５３によって、複数の配信装置３から送信されたそれぞれの装置識別情報を受信したと判断された場合には、それぞれの装置識別情報に係る信号強度を測定する。
【００９４】
通信部５７は、主に、図３に示されるＣＰＵ５０１の処理並びにＩ／Ｆ５０８及びバス５０９によって実現され、受信制御部４０とのデータ（信号）の通信を行う。
【００９５】
記憶・読出部５８は、主に、図３に示されるＣＰＵ５０１の処理によって実現され、記憶部５９に各種データを記憶し、記憶部５９から各種データを読み出す。記憶・抽出部５８は、例えば、配信装置３の装置識別情報や通信端末５の識別情報のデータの記憶や読み出しを行う。
【００９６】
図１３は、本発明の実施の形態におけるゲートウェイ装置７及び位置情報管理サーバ９の機能構成の一例を示す図である。
【００９７】
＜ゲートウェイ装置＞
ゲートウェイ装置７の機能構成を説明する。ゲートウェイ装置７は、機能又は手段として、無線通信制御部７０及び有線通信制御部８０を有している。
【００９８】
無線通信制御部７０は、図８に示されている無線通信部１７の処理によって実現され、基本的に配信装置３の無線通信制御部３０と同様の機能を有している。
【００９９】
具体的には、無線通信制御部７０は、図８に示されているＲＡＭ７０３によって構築される記憶部７９を有している。この記憶部７９には、ゲートウェイ装置７のアドレス情報（例えばＩＰアドレス）が記憶されている。また、無線通信制御部７０は、送受信部７１、通信部７７及び記憶・読出部７８を有している。
【０１００】
このうち送受信部７１は、主に、図８に示されているＣＰＵ７０１及び通信回路７０４の処理によって実現され、無線通信によって、配信装置３と各種データの送受信を行う。
【０１０１】
通信部７７は、主にＣＰＵ７０１の処理、並びに、Ｉ／Ｆ７０８及びバス７０９によって実現され、有線通信制御部８０とのデータ（信号）の通信を行う。
【０１０２】
記憶・読出部７８は、主にＣＰＵ８０１の処理によって実現され、記憶部７９に各種データを記憶し、記憶部７９から各種データを読み出す。
【０１０３】
また、有線通信制御部８０は、図８に示されている有線通信部１８の処理によって実現される。この有線通信制御部８０は、図８に示されているＲＡＭ８０３によって構築される記憶部８９を有している。この記憶部８９には、ゲートウェイ装置７の装置識別情報（例えばＭＡＣアドレス）が記憶されている。さらに、有線通信制御部８０は、送受信部８１、変換部８２、通信部８７及び記憶・読出部８８を有している。
【０１０４】
このうち送受信部８１は、主に図８に示されているＣＰＵ８０１の処理及びＩ／Ｆ８０８ｂによって実現され、有線通信によって、位置情報管理サーバ９と各種データの送受信を行う。
【０１０５】
変換部８２は、図８に示されているＣＰＵ８０１及びイーサネットコントローラ８０５の処理によって実現される。変換部８２は、上述したように通信方式を変換することで、配信装置３から送られて来た各種データ（情報）を、イーサネット（登録商標）のパケット通信ができるように制御する。
【０１０６】
通信部８７は、主にＣＰＵ８０１の処理並びにＩ／Ｆ８０８ａ及びバス８０９によって実現され、無線通信制御部７０とのデータ（信号）の通信を行う。
【０１０７】
記憶・読出部９８は、主にＣＰＵ８０１の処理によって実現され、記憶部８９に各種データを記憶し、記憶部８９から各種データを読み出す。
【０１０８】
＜位置情報管理サーバ＞
次に、位置情報管理サーバ９の機能構成を説明する。位置情報管理サーバ９は、送受信部９１、操作入力受付部９２、検索部９３、表示制御部９４、端末位置情報応答部９５、記憶・読出部９８及び記憶部９９を有する。
【０１０９】
記憶部９９は図９に示されるＲＡＭ９０３及びＨＤ９０４によって構築され、位置情報記憶部９９１、サーバ情報記憶部９９２が含まれる。
【０１１０】
位置情報記憶部９９１は、通信端末５から送信される位置情報等を記憶する。
【０１１１】
図１４は、本発明の実施の形態における位置情報管理サーバ９の位置情報記憶部９９１に記憶される情報の一例を示す図である。図１４に示されるように、位置情報記憶部９９１には「管理ＩＤ」、「識別情報」、「緯度」、「経度」、「階数」、「棟」及び「受信日時」が含まれる。
【０１１２】
「管理ＩＤ」は位置情報記憶部９９１において通信端末５の位置情報を一意に識別するための管理番号である。「識別情報」は通信端末５を識別するための情報であり、例えば通信端末５のＭＡＣアドレスである。「識別情報」は通信端末５から送信される。「緯度」、「経度」、「階数」及び「棟」は、本発明の実施の形態における位置情報であり、図７に示される情報である。「受信日時」は、位置情報管理サーバ９がゲートウェイ装置７から位置情報を受信した受信日時である。
【０１１３】
図１３に戻り説明する。サーバ情報記憶部９９２は、位置情報管理サーバ９のアドレス情報（例えばＩＰアドレス）やＭＡＣアドレスといった識別情報等が記憶されている。
【０１１４】
送受信部９１は、図９に示されるＣＰＵ９０１の処理並びにネットワークＩ／Ｆ９０９又は通信回路９１５によって実現され、有線通信又は無線通信によって、ゲートウェイ装置７又はコンテンツ管理サーバ８と各種データの送受信を行う。
【０１１５】
操作入力受付部９２は、ＣＰＵ９０１の処理並びにキーボード９１１及びマウス９１２によって実現され、管理者から各種の選択又は入力を受け付ける。
【０１１６】
検索部９３は、ＣＰＵ９０１の処理によって実現され、操作入力受付部９２によって受け付けられた検索条件に基づいて、記憶・読出部９８を介して位置情報記憶部９９１を検索し、検索結果を出力する。
【０１１７】
表示制御部９４は、ＣＰＵ９０１の処理によって実現され、ディスプレイ９０８に各種画像や文字等を表示させるための制御を行う。
【０１１８】
記憶・読出部９８は、主にＣＰＵ９０１の処理によって実現され、記憶部９９に各種データを記憶し、記憶部９９から各種データを読み出す。
【０１１９】
端末位置情報応答部９５は、コンテンツ管理サーバ８から送信される通信端末５の位置情報を取得するための通信端末位置情報取得要求を受け付け、応答する。通信端末位置情報取得要求には、通信端末５の識別情報が含まれており、端末位置情報応答部９５は位置情報記憶部９９１からその通信端末５の識別情報に対応する位置情報（緯度、経度、階数、棟）を取得する。そして、端末位置情報応答部９５は、通信端末５の位置情報を含む通信端末位置情報取得要求応答を生成し、送受信部９１を介しコンテンツ管理サーバ８に送信する。なお、端末位置情報応答部９５は、例えば通信端末位置情報取得要求を受信した時刻と、それに含まれる通信端末５の識別情報に対応する位置情報記憶部９９１の中の受信日時との差が所定の時間（例えば３０分）以上である場合は、通信端末位置情報取得要求応答に通信端末５の位置情報を設定しなかったり、位置情報の取得不可を示す情報を含めたりしてもよい。このような場合は通信端末５の現在の実際の位置が位置情報記憶部９９１に反映されていない可能性があるからである。
【０１２０】
図１５は、本発明の実施の形態におけるコンテンツ管理サーバ８及び表示装置６の機能構成の一例を示す図である。
【０１２１】
＜コンテンツ管理サーバ＞
コンテンツ管理サーバ８の機能構成を説明する。コンテンツ管理サーバ８は、送受信部８４１、コンテンツ取得要求受付部８４２、コンテンツ取得要求応答部８４３、端末位置情報取得部８４４、出力可否判定部８４５、記憶・読出部８４８及び記憶部８４９を有する。記憶部８４９には、コンテンツ情報記憶部８４９１、エリア情報記憶部８４９２、表示装置関連情報記憶部８４９３及びコンテンツデータ記憶部８４９４等が含まれる。
【０１２２】
コンテンツ情報記憶部８４９１は、表示装置６に出力させるコンテンツに関するコンテンツセキュリティレベルを記憶する。
【０１２３】
図１６は、本発明の実施の形態におけるコンテンツ管理サーバ８のコンテンツ情報記憶部８４９１に記憶される情報の一例を示す図である。図１６に示されるように、コンテンツ情報記憶部８４９１には、「コンテンツＩＤ」、「コンテンツ名」及び「コンテンツセキュリティレベル」等が含まれる。
【０１２４】
「コンテンツＩＤ」は、コンテンツ情報記憶部８４９１においてコンテンツ（「コンテンツ名」）を一意に識別するための管理番号である。
【０１２５】
「コンテンツ名」は、表示装置６において表示出力されるコンテンツの名称である。「コンテンツ名」は、任意のコンテンツの名称とコンテンツファイルの拡張子との組合せとして表示される。
【０１２６】
「コンテンツセキュリティレベル」は、コンテンツ毎に設定されるコンテンツの出力可否を定義するセキュリティレベルである。本発明の実施の形態において、「コンテンツセキュリティレベル」は５段階のレベルがあり、レベルが高いほど（「５」に近いほど）、例えば高い機密性が要求され不特定の者への公開等が相応しくないコンテンツであることを示す。逆に、レベルが低いほど（「１」に近いほど）、例えば高い機密性が要求されない不特定の者への公開を前提にしたコンテンツであることを示す。コンテンツ情報記憶部８４９１に記憶される情報は、予めコンテンツ管理システム１の管理者等により設定される。
【０１２７】
図１５に戻り説明する。エリア情報記憶部８４９２は、屋内の領域であるエリアに関するセキュリティレベル及びエリアの位置情報を記憶する。
【０１２８】
図１７は、本発明の実施の形態におけるコンテンツ管理サーバ８のエリア情報記憶部８４９２に記憶される情報の一例を示す図である。図１７に示されるように、エリア情報記憶部８４９２には、「エリアＩＤ」、「エリア名」、「エリアセキュリティレベル」、「棟」、「階数」、「東端」、「西端」、「南端」、「北端」が含まれる。
【０１２９】
「エリアＩＤ」は、エリア情報記憶部８４９２においてエリアの名称やセキュリティレベル等を一意に識別するための管理番号である。
【０１３０】
「エリア名」は、エリアの名称である。「エリア名」は管理者等により任意に設定変更が可能である。
【０１３１】
「エリアセキュリティレベル」は、エリア毎に設定されるコンテンツの出力可否を定義するセキュリティレベルである。本発明の実施の形態において、「エリアセキュリティレベル」は５段階のレベルがあり、レベルが高いほど（「５」に近いほど）、例えば機密性が高く、特定の者の利用に限定されている等のエリアであることを示す。逆に、レベルが低いほど（「１」に近いほど）、例えば機密性が低く不特定の者が利用するエリアであることを示す。「エリアセキュリティレベル」は管理者等により任意に設定変更が可能である。
【０１３２】
「棟」は、エリアが属する建物の棟の名称である。
【０１３３】
「階数」は、エリアが属する建物内の階数である。
【０１３４】
「東端」及び「西端」は、エリアの東側と西側との境界線を経度（東経）で表したものである。「南端」及び「北端」は、区域の南側と北側との境界線を緯度（北緯）で表したものである。すなわち、エリアの範囲は矩形で定義され得る。
【０１３５】
図１７の例では、エリアセキュリティレベル「５」のエリア名「会議室Ａ」は、北緯「３５．５０４０３」から北緯「３５．５０４５４」、東経「１３９．６２００３」から東経「１３９．６２１０２」の４つの線に囲まれた範囲であって、「Ｙ」棟の「１」階であることを示す。
【０１３６】
なお、本発明の実施の形態におけるエリアの位置（範囲）の定義は、上記の方法に限らず、例えば、複数の緯度及び経度を用いて五つ以上の辺を有する多角形等によって、エリアの範囲を定義してもよい。また、その他の方法として、エリアの範囲内に設置される配信装置３の位置情報に基づき、その位置情報に対応する複数の点（緯度、経度）によりエリアの範囲を定義してもよい。また、エリア情報記憶部８４９２に記憶される情報は、予めコンテンツ管理システム１の管理者等により設定され、エリアの追加や変更時に情報は変更される。
【０１３７】
図１５に戻り説明する。表示装置関連情報記憶部８４９３は、表示装置６とその表示装置６に取り付けられた通信端末５とを関連付けて記憶する。
【０１３８】
図１８は、本発明の実施の形態におけるコンテンツ管理サーバ８の表示装置関連情報記憶部８４９３に記憶される情報の一例を示す図である。図１８に示されるように、表示装置関連情報記憶部８４９３には、「表示装置ＩＤ」、「表示装置識別情報」及び「通信端末識別情報」等が記憶されている。
【０１３９】
「表示装置ＩＤ」は、表示装置関連情報記憶部８４９３において表示装置６を一意に識別するための管理番号である。
【０１４０】
「表示装置識別情報」は、表示装置６を一意に識別するための識別情報（例えばＭＡＣアドレス等）である。
【０１４１】
「通信端末識別情報」は、通信端末５を一意に識別するための識別情報（例えばＭＡＣアドレス等）であり、通信端末５が取り付けられる表示装置６の識別情報に対応付けて記憶される。
【０１４２】
「表示装置識別情報」及び「通信端末識別情報」は、予め管理者等により記憶される情報である。また、表示装置６とそれに取り付けられる通信端末５が変更になった場合は、表示装置関連情報記憶部８４９３に記憶される情報は変更される。
【０１４３】
図１５に戻り説明する。コンテンツデータ記憶部８４９４は、表示装置６とその表示装置６に取り付けられた通信端末５とを関連付けて記憶する。
【０１４４】
図１９は、本発明の実施の形態におけるコンテンツ管理サーバ８のコンテンツデータ記憶部８４９４に記憶される情報の一例を示す図である。図１９に示されるように、コンテンツデータ記憶部８４９４には、「コンテンツＩＤ」、「コンテンツ名」及び「データ保存先アドレス」等が記憶されている。
【０１４５】
「コンテンツＩＤ」はコンテンツデータ記憶部８４９４においてコンテンツ（「コンテンツ名」）を一意に識別するための管理番号である。
【０１４６】
「コンテンツ名」は、表示装置６において表示出力されるコンテンツの名称である。「コンテンツ名」は、任意のコンテンツの名称とコンテンツファイルの拡張子との組合せとして表示される。なお、コンテンツ情報記憶部８４９１に記憶される「コンテンツ名」とコンテンツデータ記憶部８４９４に記憶される「コンテンツ名」とが同じであれば、同一のコンテンツであることを意味する。
【０１４７】
「データ保存先アドレス」は、コンテンツのファイル本体が格納されている場所（アドレス）を示す情報である。なお、コンテンツのファイル本体が格納されている場所は、コンテンツ管理サーバ８内の記憶装置に限らず、コンテンツ管理サーバ８以外の他のサーバや外部記録媒体等であってもよい。図１９の例ではコンテンツＩＤ「１」〜「３」のコンテンツの保存先はコンテンツ管理サーバ８としているが、コンテンツＩＤ「４」、「５」のコンテンツの保存先は他のサーバであることを示している。
【０１４８】
図１５に戻り説明する。
【０１４９】
記憶・読出部８４８は、主にＣＰＵ８２１の処理によって実現され、記憶部８４９に各種データを記憶し、記憶部８４９から各種データを読み出す。
【０１５０】
送受信部８４１は、図１０に示されるＣＰＵ８２１の処理並びにネットワークＩ／Ｆ８２９又は通信回路８３５によって実現され、有線通信又は無線通信によって、表示装置６又は位置情報管理サーバ９と各種データの送受信を行う。
【０１５１】
コンテンツ取得要求受付部８４２は、表示装置６から送信されるコンテンツ取得要求を受け付ける。コンテンツ取得要求は、表示装置６において表示出力するコンテンツ（出力対象コンテンツ）を表示装置６がコンテンツ管理サーバ８から取得するための要求である。コンテンツ取得要求には、出力対象コンテンツの名称及び表示装置６の識別情報（例えばＭＡＣアドレス）が含まれる。コンテンツ取得要求受付部８４２は、コンテンツ取得要求に含まれる表示装置６の識別情報を端末位置情報取得部８４４に通知する。また、コンテンツ取得要求受付部８４２は、コンテンツ取得要求に含まれる出力対象コンテンツの名称を出力可否判定部８４５に通知する。
【０１５２】
端末位置情報取得部８４４は、コンテンツ取得要求受付部８４２から通知されたコンテンツ取得要求に含まれる表示装置６の識別情報（表示装置識別情報）に基づき、表示装置関連情報記憶部８４９３から表示装置６に対応する通信端末５の識別情報（通信端末識別情報）を取得する。次に、端末位置情報取得部８４４は、識別情報を取得した通信端末５の位置情報を取得するための通信端末位置情報取得要求を位置情報管理サーバ９に、送受信部８４１を介して送信する。そして、端末位置情報取得部８４４は、位置情報管理サーバ９から通信端末５の位置情報を取得すると、出力可否判定部８４５に取得した通信端末５の位置情報を通知する。
【０１５３】
出力可否判定部８４５は、端末位置情報取得部８４４から通知された通信端末５の位置情報と、エリア情報記憶部８４９２に記憶されるエリアの領域を示す位置情報とに基づき、通信端末５の位置するエリアセキュリティレベルを読み出す。次に、出力可否判定部８４５は、コンテンツ取得要求受付部８４２から通知されたコンテンツ取得要求に含まれる出力対象コンテンツの名称に基づき、コンテンツ情報記憶部８４９１からコンテンツセキュリティレベルを読み出す。そして、出力可否判定部８４５は、読み出したエリアセキュリティレベルとコンテンツセキュリティレベルとを比較し、表示装置６におけるコンテンツの出力可否を判定する。出力可否判定部８４５は、出力可否の判定結果をコンテンツ取得要求応答部８４３に通知する。
【０１５４】
コンテンツ取得要求応答部８４３は、出力可否判定部８４５から通知された出力可否の判定結果に基づくコンテンツ取得要求応答を生成する。判定結果が出力可である場合、コンテンツ取得要求応答部８４３は、コンテンツ取得要求に含まれる出力対象コンテンツの名称に基づき、コンテンツデータ記憶部８４９４に記憶されるデータ保存先アドレスから出力対象コンテンツのファイルを読み出す。そして、コンテンツ取得要求応答部８４３は、読み出された出力対象コンテンツのファイルが含まれた（添付された）コンテンツ取得要求応答を生成する。なお、コンテンツ取得要求応答に出力対象コンテンツのファイル本体を添付するのではなく、コンテンツのファイルが格納されているデータ保存先アドレスを通知するようにしてもよい。一方、判定結果が出力不可である場合、コンテンツ取得要求応答部８４３は、コンテンツの取得が不可であることを示すエラーメッセージを含むコンテンツ取得要求応答を生成する。コンテンツ取得要求応答部８４３は、生成されたコンテンツ取得要求応答を、送受信部を介して表示装置６に送信する。
【０１５５】
＜表示装置＞
次に、表示装置の機能構成を図１５により説明する。
【０１５６】
表示装置６は、送受信部６１、表示制御部６２、操作入力受付部６４、コンテンツ取得要求生成部６５、コンテンツ取得要求応答受付部６６、記憶・読出部６８及び記憶部６９を有する。
【０１５７】
記憶部６９は、表示装置６の識別情報（例えばＭＡＣアドレス）やコンテンツ管理サーバ８から送信された出力対象のコンテンツ等を記憶する。
【０１５８】
記憶・読出部６８は、主にＣＰＵ６０１の処理によって実現され、記憶部６９に各種データを記憶し、記憶部６９から各種データを読み出す。
【０１５９】
送受信部６１は、図１１に示されるＣＰＵ６０１の処理並びに無線ＬＡＮ通信部６０６によって実現され、無線通信によって、コンテンツ管理サーバ８と各種データの送受信を行う。なお、送受信部６１は、表示装置６がイーサネット（登録商標）カードを備え、ネットワーク８９３が有線ＬＡＮである場合はイーサネット（登録商標）によりデータの送受信を行う。
【０１６０】
表示制御部６２は、ＣＰＵ６０１の処理によって実現され、ディスプレイ６０８に各種画像や文字等を表示させるための制御を行う。
【０１６１】
操作入力受付部６４は、ＣＰＵ６０１の処理及び入力部６０９によって実現され、表示装置６のユーザから各種の選択又は入力を受け付ける。
【０１６２】
コンテンツ取得要求生成部６５は、ユーザの入力部６０９を介した操作に基づき、表示装置６に表示出力させるためのコンテンツを、コンテンツ管理サーバ８から取得するためのコンテンツ取得要求を生成する。コンテンツ取得要求には、表示出力させる出力対象コンテンツの名称及び表示装置６の識別情報が含まれる。
【０１６３】
コンテンツ取得要求応答受付部６６は、コンテンツ取得要求に対するコンテンツ管理サーバ８からの応答であるコンテンツ取得要求応答を受け付ける。そして、コンテンツ取得要求応答受付部６６は、コンテンツ取得要求応答に出力対象コンテンツのファイル本体又は出力対象コンテンツのファイルの格納先アドレスが含まれている場合、その出力対象コンテンツのファイルを、表示制御部６２を介して表示させる。一方、コンテンツ取得要求応答受付部６６は、コンテンツ取得要求応答に出力対象コンテンツの取得不可を示すエラーメッセージが含まれている場合、そのエラーメッセージを、表示制御部６２を介して表示させ処理は終了する。
【０１６４】
[動作手順]
本発明の実施の形態におけるコンテンツ管理システム１の動作手順を説明する。コンテンツ管理システム１の動作は、通信端末５の位置情報を位置情報管理サーバ９が管理するための位置情報管理動作と、表示装置６に表示出力させるコンテンツの出力可否をコンテンツ管理サーバ８が判定するコンテンツ出力可否判定動作とに大別される。
【０１６５】
〔位置情報管理動作〕
図２０は、本発明の実施の形態におけるコンテンツ管理システム１が通信端末５の位置情報を管理する動作手順を示すシーケンス図の一例である。
【０１６６】
Ｓ１１：配信装置３の配信制御部２０は、記憶部２９から取得した位置情報をＩＭＥＳ等により連続的又は断続的に送信する。
【０１６７】
Ｓ１２：通信端末５の受信制御部４０は、周期的（例えば６０秒周期）に行われる位置情報の受信処理により、配信装置３から送信される位置情報を受信する。なお、通信端末５が加速度センサを備えている場合は、加速度の変化の検知を契機に位置情報を受信してもよい。
【０１６８】
Ｓ１３：受信制御部４０は、受信した位置情報を記憶部４９に記憶する。
【０１６９】
Ｓ１４：通信端末５の無線通信制御部５０は、記憶部５９から取得した識別情報（例えば通信端末５のＭＡＣアドレス）と記憶部４９に記憶した位置情報とを含む位置情報更新要求を配信装置３に送信する。位置情報更新要求は、位置情報管理サーバ９により管理される通信端末５の位置情報を新規登録又は更新するための要求である。
【０１７０】
Ｓ１５：配信装置３の無線通信制御部３０の送受信部３１は、位置情報更新要求をＩＥＥＥ８０２．１５．４規格に準拠した通信方式を用いてゲートウェイ装置７０に転送する。
【０１７１】
Ｓ１６：ゲートウェイ装置７の無線通信制御部７０の送受信部７１が配信装置３から送信された位置情報更新要求を受信すると、有線通信制御部８０の変換部８２は、ＩＥＥＥ８０２．１５．４規格に準拠した通信方式を、ネットワーク８９２に適合するＩＥＥＥ８０２．３規格に準拠した通信方式に変換しする。
【０１７２】
Ｓ１７：有線通信制御部８０の送受信部８１は、位置情報管理サーバ９に位置情報更新要求を転送する。位置情報管理サーバ９の送受信部９１は、ゲートウェイ装置７からの位置情報更新要求を受信する。
【０１７３】
Ｓ１８：位置情報管理サーバ９の記憶・読出部９８は、記憶部９９に予め記憶されている通信端末５の識別情報と、受信した位置情報更新要求に含まれる識別情報とを対応付け、位置情報記憶部９９１に通信端末５の位置情報を記憶する。
【０１７４】
なお、上述したステップＳ１１〜Ｓ１８の通信端末５の位置情報の管理動作は、次に説明するコンテンツ出力可否判定動作とは独立して実行される。
【０１７５】
以上の動作手順により、本発明の実施の形態のコンテンツ管理システム１は、位置情報管理サーバ６により通信端末５の位置情報を管理できる。また、表示装置６には通信端末５が外部に取り付けられたり内蔵されたりしているため、通信端末５の位置情報を管理することにより、表示装置６の位置情報を管理できる。
【０１７６】
〔コンテンツ出力可否判定動作〕
図２１は、本発明の実施の形態におけるコンテンツ管理システム１のコンテンツ出力可否判定の動作手順を示すシーケンス図の一例である。図２１の例では、表示装置６に通信端末５が取り付けられており、通信端末５の位置情報は位置情報管理サーバ９によって管理されている。
【０１７７】
Ｓ２１：表示装置６のユーザは、表示装置６にコンテンツを表示出力させるため、入力部６０９を操作し、出力対象とするコンテンツを指定する。ここで、例えば指定された出力対象のコンテンツ名は「Ａ．ｐｐｔ」とする。操作入力受付部６４は、ユーザにより入力されたコンテンツ名（Ａ．ｐｐｔ）を、コンテンツ取得要求生成部６５に通知する。
【０１７８】
Ｓ２２：表示装置６のコンテンツ取得要求生成部６５は、出力対象コンテンツをコンテンツ管理サーバ８から取得するためのコンテンツ取得要求を生成する。コンテンツ取得要求には、出力対象コンテンツ名（Ａ．ｐｐｔ）及び表示装置６の識別情報（例えば「００００７４ｆ０２２９ａ」）が含まれる。なお、コンテンツ名はコンテンツ管理システム１において一意となるように設定される。コンテンツ名は、予め管理者やユーザ等において定められたコンテンツ名の名称付与基準に基づき設定される。なお、コンテンツ取得要求には、コンテンツ管理サーバ８のコンテンツ情報記憶部８４９１において記憶される「コンテンツＩＤ」を含めるようにしてもよい。この場合、予め表示装置６のユーザは表示出力対象のコンテンツの「コンテンツＩＤ」を把握しておく。コンテンツ取得要求に「コンテンツＩＤ」を含めることにより、コンテンツ管理サーバ８において同一のコンテンツ名が複数存在している場合に、出力対象コンテンツを一意に識別できる。
【０１７９】
Ｓ２３：コンテンツ取得要求生成部６５は、送受信部６１を介し、ネットワーク８９３（アクセスポイント４）によりコンテンツ取得要求を送信する。コンテンツ取得要求には、出力対象コンテンツ名「Ａ．ｐｐｔ」及び表示装置６の識別情報「００００７４ｆ０２２９ａ」が含まれている。
【０１８０】
コンテンツ管理サーバ９のコンテンツ取得要求受付部８４２は、送受信部８４１を介し、表示装置６から送信されるコンテンツ取得要求を受け付ける。そして、コンテンツ取得要求受付部８４２は、コンテンツ取得要求に含まれる表示装置６の識別情報（００００７４ｆ０２２９ａ）を端末位置情報取得部８４４に通知する。また、コンテンツ取得要求受付部８４２は、コンテンツ取得要求に含まれる出力対象コンテンツ名（Ａ．ｐｐｔ）を出力可否判定部８４５に通知する。
【０１８１】
Ｓ２４：端末位置情報取得部８４４は、コンテンツ取得要求受付部８４２から通知されたコンテンツ取得要求に含まれる表示装置６の識別情報（００００７４ｆ０２２９ａ）に基づき、表示装置関連情報記憶部８４９３から表示装置６に対応する（取り付けられた）通信端末５の識別情報（通信端末識別情報）を取得する。ここで、表示装置関連情報記憶部８４９３に記憶される情報が例えば図１８に示す情報であるとすると、表示装置６の識別情報「００００７４ｆ０２２９ａ」に対応する通信端末５の識別情報は「００２６７３ａｂｃｄ０１」となる。
【０１８２】
Ｓ２５：端末位置情報取得部８４４は、識別情報（００２６７３ａｂｃｄ０１）を取得した通信端末５の位置情報を取得するための通信端末位置情報取得要求を位置情報管理サーバ９に、送受信部８４１を介して送信する。通信端末位置情報取得要求には、通信端末５の識別情報「００２６７３ａｂｃｄ０１」が含まれる。
【０１８３】
位置情報管理サーバ９の端末位置情報応答部９５は、送受信部９１を介して、コンテンツ管理サーバ８からの通信端末位置情報取得要求を受け付ける。
【０１８４】
Ｓ２６：端末位置情報応答部９５は、通信端末位置情報取得要求に含まれる通信端末５の識別情報（００２６７３ａｂｃｄ０１）に基づき、位置情報記憶部９９１から通信端末５の位置情報を読み出す。ここで、位置情報記憶部９９１に記憶される情報が例えば図１４に示す情報であるとすると、通信端末５の識別情報「００２６７３ａｂｃｄ０１」に対応する位置情報は管理ＩＤ「１」の位置情報となる。この位置情報は図１４の例より、緯度「３５．５０４２６」、経度「１３９．６２０５１」、「１」階、「Ｙ」棟となる。なお、端末位置情報応答部９５は、通信端末位置情報取得要求の受付時刻と、位置情報記憶部９９１に記憶される受信日時との差が所定の時間（例えば３０分）以上である場合は、通信端末位置情報取得要求応答に通信端末５の位置情報を含めなかったり、位置情報の取得不可を示す情報を含めたりしてもよい。
【０１８５】
Ｓ２７：端末位置情報応答部９５は、通信端末５の位置情報を含む通信端末位置情報取得要求応答を生成し、送受信部９１を介しコンテンツ管理サーバ８に送信する。
【０１８６】
コンテンツ管理サーバ８の端末位置情報取得部８４４は、送受信部８４１を介して通信端末５の位置情報を受信すると、受信した通信端末５の位置情報を出力可否判定部８４５に通知する。
【０１８７】
Ｓ２８：出力可否判定部８４５は、端末位置情報取得部８４４から通知された通信端末５の位置情報に基づき、エリア情報記憶部８４９２からエリアセキュリティレベルを読み出す。ここで、エリア情報記憶部８４９２に記憶される情報が例えば図１７に示す情報であるとすると、位置情報管理サーバ９から取得した通信端末５の位置情報（緯度「３５．５０４２６」、経度「１３９．６２０５１」、「１」階、「Ｙ」棟）は、エリアＩＤ「１」に対応する「Ｙ」棟、「１」階の南端「３５．５０４０３」、北端「３５．５０４５４」、西端「１３９．６２００３」、東端「１３９．６２１０２」に囲まれた範囲内に含まれる。したがって、通信端末５は会議室Ａ（エリア名）に位置しており、そのエリアのエリアセキュリティレベルは「５」である。
【０１８８】
Ｓ２９：出力可否判定部８４５は、コンテンツ取得要求受付部８４２から通知されたコンテンツ取得要求に含まれる出力対象コンテンツ名（Ａ．ｐｐｔ）に基づき、コンテンツ情報記憶部８４９１からコンテンツセキュリティレベルを読み出す。ここで、コンテンツ情報記憶部８４９１に記憶される情報が例えば図１６に示す情報であるとすると、出力対象コンテンツ名「Ａ．ｐｐｔ」に対応するコンテンツセキュリティレベルは「５」となる。
【０１８９】
Ｓ３０：出力可否判定部８４５は、ステップＳ２８で読み出したエリアセキュリティレベル（５）と、ステップＳ２９で読み出したコンテンツセキュリティレベル（５）とを比較し、表示装置６でのコンテンツ名（Ａ．ｐｐｔ）の出力可否を判定する。出力可否の判定は、エリアセキュリティレベルがコンテンツセキュリティレベル以上である場合はコンテンツの表示出力は可として、そうでない場合はコンテンツの表示出力は不可として処理される。この例では、例えば社外秘のような高い機密性が要求されるコンテンツセキュリティレベルが「５」であるコンテンツ「Ａ．ｐｐｔ」は、例えば社員のみの利用に限定されるエリアセキュリティレベルが「５」の会議室Ａにおいて使用される表示装置６での表示出力が可能となる。反対に、例えばエリアセキュリティレベルが低い（レベル「１」）受付ロビーのような場所では、エリアセキュリティレベルがコンテンツセキュリティレベル（５）以上ではないため、出力可否の判定結果は出力不可となる。そして、出力可否判定部８４５は、出力可否の判定結果をコンテンツ取得要求応答部８４３に通知する。
【０１９０】
Ｓ３１：コンテンツ取得要求応答部８４３は、出力可否判定部８４５から通知された出力可否の判定結果に基づくコンテンツ取得要求応答を生成する。判定結果が出力可である場合、コンテンツ取得要求応答部８４３は、コンテンツ取得要求に含まれる出力対象コンテンツの名称に基づき、コンテンツデータ記憶部８４９４に記憶されるデータ保存先アドレスから出力対象コンテンツのファイルを読み出す。そして、コンテンツ取得要求応答部８４３は、読み出された出力対象コンテンツのファイルが含まれた（添付された）コンテンツ取得要求応答を生成する。一方、判定結果が出力不可である場合、コンテンツ取得要求応答部８４３は、コンテンツの取得が不可であることを示すエラーメッセージを含むコンテンツ取得要求応答を生成する。この例では、ステップＳ３０における判定結果が出力可であるため、コンテンツ名「Ａ．ｐｐｔ」のファイルを含むコンテンツ取得要求応答が生成される。なお、コンテンツ取得要求応答にコンテンツのファイルを添付するのではなく、コンテンツ名「Ａ．ｐｐｔ」のファイルが格納されているデータ保存先アドレスを含むようにしてもよい。
【０１９１】
Ｓ３２：コンテンツ取得要求応答部８４３は、生成されたコンテンツ取得要求応答を、送受信部８４１を介して表示装置６に送信する。
【０１９２】
表示装置６のコンテンツ取得要求応答受付部６６は、コンテンツ管理サーバ８から応答であるコンテンツ取得要求応答を、送受信部６１を介して受け付ける。
【０１９３】
Ｓ３３：コンテンツ取得要求応答受付部６６は、コンテンツ取得要求応答に出力対象コンテンツのファイル本体又は出力対象コンテンツのファイルの格納先アドレスが含まれている場合、その出力対象コンテンツのファイルを、表示制御部６２を介して表示させる。一方、コンテンツ取得要求応答受付部６６は、コンテンツ取得要求応答に出力対象コンテンツの取得不可を示すエラーメッセージが含まれている場合、図２２に示すような画面を、表示制御部６２を介して表示させ処理は終了する。図２２は、本発明の実施の形態における判定結果が出力不可である場合に表示装置６に表示出力されるメッセージの一例を示す図である。図２２に示されるように、コンテンツの出力不可を示すメッセージとエラーコード（エラーの理由）が表示出力される。なお、図２１のシーケンス図の例では、コンテンツ取得要求応答にはコンテンツ名「Ａ．ｐｐｔ」のファイルが含まれているため、「Ａ．ｐｐｔ」のファイルが表示出力される。
【０１９４】
上述した動作手順により、本発明の実施の形態のコンテンツ管理システム１は、表示装置６に取り付けられた通信端末５の位置情報を利用し、エリアのセキュリティレベルに応じて表示装置６でのコンテンツの表示出力を制御できる。
【０１９５】
[フローチャート]
本発明の実施の形態におけるコンテンツ管理サーバ８の出力可否の判定処理について説明する。
【０１９６】
図２３は、本発明の実施の形態におけるコンテンツ管理サーバ８の出力可否判定の処理手順の一例を示すフローチャート図である。
【０１９７】
Ｓ１０１：コンテンツ管理サーバ８は、出力対象コンテンツ名及び表示装置６の識別情報が含まれているコンテンツ取得要求を表示装置６から受信する。
【０１９８】
Ｓ１０２：端末位置情報取得部８４４は、コンテンツ取得要求に含まれる表示装置６の識別情報に基づき、表示装置関連情報記憶部８４９３から表示装置６に対応する（取り付けられた）通信端末５の識別情報（通信端末識別情報）を取得する。
【０１９９】
Ｓ１０３：端末位置情報取得部８４４は、通信端末５の識別情報を含む通信端末位置情報取得要求を位置情報管理サーバ９に送信する。
【０２００】
Ｓ１０４：端末位置情報応答部９５は、位置情報管理サーバ９から通信端末５の位置情報を取得できたか否かを判定する。具体的には、通信端末位置情報取得要求に対する応答信号に、通信端末５の位置情報が含まれているか否かが判定される。この応答信号に通信端末５の位置情報が含まれていない場合とは、例えば位置情報管理サーバ９の位置情報記憶部９９１に該当する通信端末５の位置情報が記憶されていない場合や位置情報が記憶されていたとしてもそれに対応する受信日時が古く、応答信号に位置情報が設定されていない場合等である。また、例えばコンテンツ管理サーバ８から位置情報管理サーバ９への通信環境に問題があり、コンテンツ管理サーバ８が通信端末位置情報取得要求のタイムアウトを検出した場合も通信端末５の位置情報を取得できなかった場合に該当する。
【０２０１】
通信端末５の位置情報を取得できた場合は、ステップＳ１０５の処理が実行される。
【０２０２】
一方、通信端末５の位置情報を取得できなかった場合は、ステップＳ１０７の処理が実行される。
【０２０３】
Ｓ１０５：（ステップＳ１０４においてＹＥＳの場合、）出力可否判定部８４５は、エリア情報記憶部８４９２に記憶されるエリアに、取得した通信端末５の位置情報が含まれるか否かを判定する。
【０２０４】
取得した通信端末５の位置情報がエリア情報記憶部８４９２に記憶されるエリアに含まれている場合、ステップＳ１０６の処理が実行される。
【０２０５】
一方、取得した通信端末５の位置情報がエリア情報記憶部８４９２に記憶されるエリアに含まれていない場合、ステップＳ１０７の処理が実行される。
【０２０６】
Ｓ１０６：（ステップＳ１０５においてＹＥＳの場合、）出力可否判定部８４５は、取得した通信端末５の位置情報が含まれるエリア情報記憶部８４９２に記憶されるエリアからエリアセキュリティレベルを読み出す。
【０２０７】
Ｓ１０７：（ステップＳ１０４又はＳ１０５においてＮＯの場合、）出力可否判定部８４５は、エリアセキュリティレベルを「１」に設定する。エリアセキュリティレベル「１」は機密性が低く、例えば不特定多数の者が存在する公共スペース等に設定される。このように、通信端末５の位置情報が不明の場合には、例えば不特定の者が存在する場所でも出力して支障がないセキュリティレベルのコンテンツの出力に限定するためである。なお、このステップＳ１０７において設定するエリアセキュリティレベルの値は「１」に限らず任意に設定可能である。また、エリア情報記憶部８４９２に記憶される情報（５段階のエリアセキュリティレベル）に限らず、例えばエリアを公共スペースや社内等で分類するエリアカテゴリの情報を設け、通信端末５の位置情報が不明である場合は一律公共スペースの扱いとしてコンテンツの表示を許容しないようにしてもよい。
【０２０８】
Ｓ１０８：（ステップ１０６又はＳ１０７の処理後、）出力可否判定部８４５は、コンテンツ情報記憶部８４９１の中に、コンテンツ取得要求に含まれていた出力対象コンテンツ名が存在するか否かを判定する。
【０２０９】
コンテンツ情報記憶部８４９１の中に、コンテンツ取得要求に含まれていた出力対象コンテンツ名が存在しない場合、ステップＳ１１３の処理が実行される。
【０２１０】
一方、コンテンツ情報記憶部８４９１の中に、コンテンツ取得要求に含まれていた出力対象コンテンツ名が存在する場合、ステップＳ１０９の処理が実行される。
【０２１１】
Ｓ１０９：（ステップＳ１０８においてＹＥＳの場合、）出力可否判定部８４５は、出力対象コンテンツ名に対応したコンテンツセキュリティレベルをコンテンツ情報記憶部８４９３から読み出す。
【０２１２】
Ｓ１１０：出力可否判定部８４５は、エリアセキュリティレベルとコンテンツセキュリティレベルとを比較する判定処理を実行する。
【０２１３】
具体的には、エリアセキュリティレベルがコンテンツセキュリティレベル以上である場合、出力可と判定され、ステップＳ１１１の処理が実行される。
【０２１４】
一方、エリアセキュリティレベルがコンテンツセキュリティレベル未満である場合、出力不可と判定され、ステップＳ１１２の処理が実行される。
【０２１５】
出力可否判定部８４５は、出力可否の判定結果をコンテンツ取得要求応答部８４３に通知する。
【０２１６】
Ｓ１１１：（Ｓ１１０においてＹＥＳの場合、）コンテンツ取得要求応答部８４３は、出力可否判定部８４５から通知された出力可の判定結果に基づきコンテンツ取得要求応答を生成する。この場合、コンテンツ取得要求応答部８４３は、コンテンツ取得要求に含まれる出力対象コンテンツの名称に基づき、コンテンツデータ記憶部８４９４に記憶されるデータ保存先アドレスから出力対象コンテンツのファイルを読み出す。そして、コンテンツ取得要求応答部８４３は、読み出された出力対象コンテンツのファイルが含まれたコンテンツ取得要求応答を生成し、表示装置６に送信する。
【０２１７】
Ｓ１１２：（Ｓ１１０においてＮＯの場合、）コンテンツ取得要求応答部８４３は、出力可否判定部８４５から通知された出力不可の判定結果に基づきコンテンツの取得が不可であることを示すエラーメッセージ（セキュリティ違反）を含むコンテンツ取得要求応答を生成し、表示装置６に送信する。
【０２１８】
Ｓ１１３：（ステップＳ１０８においてＮＯの場合、）コンテンツ取得要求応答部８４３は、取得対象コンテンツがないことを示すエラーメッセージ（対象コンテンツなし）を含むコンテンツ取得要求応答を生成し、表示装置６に送信する。
【０２１９】
以上、本発明の実施の形態におけるコンテンツ管理システム１によれば、エリアのセキュリティレベルとコンテンツのセキュリティレベルとに基づき、表示装置６に表示出力させるコンテンツを制御できる。これにより、不適切な場所で機密性の高いコンテンツを出力してしまうという情報漏洩の危険性を低減できる。
【０２２０】
また、コンテンツ管理システム１の管理下であれば、いかなる場所で表示装置６が使用されても、あるいはデジタルコンテンツが複製されたとしても、セキュリティレベルに基づき適切にコンテンツを出力制御できる。
【０２２１】
また、コンテンツ管理システム１によれば、例えばエリアのレイアウト変更やエリアのセキュリティレベルの変更があったとしても、コンテンツ管理サーバ８における設定変更のみで変更後のエリアのセキュリティレベルでの運用が可能となる。そのため、管理者等が装置の物理的な変更（設置場所の変更や装置の追加設置等）による手間やコストをかけず効率的にエリアの状況に基づくコンテンツ出力の制御ができる。
【０２２２】
また、コンテンツ管理システム１によれば、電波の干渉等の影響なく、例えば同じ部屋内をパーティションで区切ったエリア毎に柔軟にエリアのセキュリティレベルを設定できる。
【０２２３】
《第１の変形例》
本発明の実施の形態の第１の変形例は、表示装置６に表示出力させるコンテンツが表示装置６の記憶装置もしくは表示装置６に直接挿入される外部記録媒体（例えばＳＤカードやＵＳＢメモリ等）又は表示装置６にＲＧＢケーブル等により直接接続するＰＣに記憶されている場合においてコンテンツの出力可否が判定されるときの動作である。
【０２２４】
[機能構成（変形例）]
図２４は、本発明の実施の形態の第１の変形例におけるコンテンツ管理サーバ８及び表示装置６の機能構成の一例を示す図である。図２４において本発明の実施の形態におけるコンテンツ管理サーバ８及び表示装置６の機能構成図（図１５）と同じ機能については、同じ名称・番号を付与しており、これらの説明は省略する。
【０２２５】
＜表示装置＞
図２４に示されるように、第１の変形例における表示装置６は、出力可否確認要求生成部６５ａ、出力可否確認要求応答受付部６６ａ及びコンテンツデータ記憶部６９ａをさらに有する。
【０２２６】
出力可否確認要求生成部６５ａは、表示装置６のユーザの入力部６０９を介したコンテンツの表示出力操作を受け付けると、コンテンツ管理サーバ８に表示出力させるコンテンツの出力可否を問い合わせる出力可否確認要求を生成する。出力可否確認要求には、表示出力させる出力対象コンテンツの名称及び表示装置６の識別情報が含まれる。
【０２２７】
出力可否取得要求応答受付部６６は、出力可否確認要求に対するコンテンツ管理サーバ８からの応答である出力可否確認要求応答を受け付ける。そして、出力可否確認要求応答受付部６６は、出力可否確認要求応答に含まれる出力可否の判定結果に基づき、コンテンツを表示出力させたり、表示出力処理を終了させたりする。
【０２２８】
コンテンツデータ記憶部６９ａは、表示装置６に表示出力させるコンテンツのファイル本体が記憶されている。なお、コンテンツのファイルはフラッシュメモリ等の記録メディア６０４に記憶されていてもよいし、表示装置６に接続するＰＣ等に記憶されていてもよい。
【０２２９】
＜コンテンツ管理サーバ＞
図２４に示されるように、第１の変形例におけるコンテンツ管理サーバ８は、出力可否確認要求受付部８４２ａ、出力可否確認要求応答部８４３ａをさらに有する。なお、図１５の例と異なり変形例（図２４）のコンテンツ管理サーバ８はコンテンツデータ記憶部８４９４を有していない。
【０２３０】
出力可否確認要求受付部８４２ａ、表示装置６から送信される出力可否確認要求を受け付ける。出力可否確認要求受付部８４２ａは、出力可否確認要求に含まれる表示装置６の識別情報を端末位置情報取得部８４４に通知する。また、コンテンツ取得要求受付部８４２は、コンテンツ取得要求に含まれる出力対象コンテンツの名称を出力可否判定部８４５に通知する。
【０２３１】
出力可否確認要求応答部８４３ａは、出力可否判定部８４５から通知された出力可否の判定結果を含む出力可否確認要求応答を生成する。出力可否確認要求応答部８４３ａは、生成された出力可否確認要求応答を、送受信部を介して表示装置６に送信する。
【０２３２】
[動作手順（第1の変形例）]
図２５は、本発明の実施の形態の第１の変形例におけるコンテンツ管理システム１のコンテンツ出力可否判定の動作手順を示すシーケンス図の一例である。なお、図２５において、本発明の実施の形態における動作手順を示す図２１と同じ処理については同一ステップ番号を付与しており、これらの説明は省略する。
【０２３３】
表示装置６のユーザは、コンテンツを表示出力させるため入力部６０９を操作する（Ｓ４１）と、記憶部・読出部６８によりコンテンツデータ記憶部６９ａに記憶されるコンテンツのファイルが読み出される（Ｓ４２）。
【０２３４】
コンテンツのファイルが読み出されると、出力可否確認要求生成部６５ａは、読み出されたコンテンツの出力可否をコンテンツ管理サーバ８に問い合わせるための出力可否確認要求を生成する（Ｓ４３）。出力可否確認要求には、出力対象コンテンツ名及び表示装置６の識別情報が含まれる。
【０２３５】
出力可否確認要求生成部６５ａは、送受信部６１を介し、ネットワーク８９３（アクセスポイント４）により出力可否確認要求を送信する（Ｓ４４）。コンテンツ管理サーバ９の出力可否確認要求受付部８４２ａは、送受信部８４１を介し、表示装置６から送信される出力可否確認要求を受け付ける。以降のステップＳ２４〜Ｓ３０の処理は図２１の例と同じである。
【０２３６】
出力可否が判定される（Ｓ３０）と、出力可否確認要求応答部８４３ａは、出力可否判定部８４５から通知された出力可否の判定結果を含む出力可否確認要求応答を生成する（Ｓ４５）。
【０２３７】
そして、出力可否確認要求応答部８４３ａは、生成されたコンテンツ取得要求応答を、送受信部８４１を介して表示装置６に送信する（Ｓ４６）。表示装置６の出力可否確認要求応答受付部６６は、出力可否確認要求応答を、送受信部６１を介して受け付ける。
【０２３８】
出力可否確認要求応答受付部６６ａは、出力可否確認要求応答に含まれる出力可否の判定結果に基づく処理を実行する（Ｓ４７）。判定結果が出力可である場合は、コンテンツの表示出力処理を続行する。一方、判定結果が出力不可である場合は、コンテンツの出力が表示できないことを示す情報を表示出力し、コンテンツの表示出力処理を終了する。
【０２３９】
以上の動作手順により、第1の変形例におけるコンテンツ管理システム１は、表示装置６側でコンテンツのファイルを保持している場合であっても、エリアのセキュリティレベルとコンテンツのセキュリティレベルとに基づき、コンテンツの表示出力を制御できる。
【０２４０】
《第２の変形例》
本発明の実施の形態の第２の変形例では、表示装置６のユーザが表示出力させるコンテンツを指定する際に、コンテンツセキュリティレベルを設定し、そのユーザが設定したコンテンツセキュリティレベルに基づき、コンテンツの出力可否が判定される。すなわちユーザがコンテンツのセキュリティレベルを判断するため、コンテンツ管理サーバ８がコンテンツとコンテンツセキュリティレベルとを対応付けて管理する必要がなくなる。
【０２４１】
図２６は、本発明の実施の形態の第２の変形例におけるコンテンツ管理システム１のコンテンツ出力可否判定の動作手順を示すシーケンス図の一例である。なお、図２６において、本発明の実施の形態における動作手順を示す図２１と同じ処理については同一ステップ番号を付与しており、これらの説明は省略する。
【０２４２】
まず表示装置６のユーザは、表示装置６にコンテンツを表示出力させるため、入力部６０９を操作し、出力対象とするコンテンツを指定し、図２７に示されるコンテンツセキュリティ指定画面により出力対象コンテンツのコンテンツセキュリティレベルを指定する（Ｓ５１）。
【０２４３】
図２７は、本発明の実施の形態の第２の変形例におけるコンテンツセキュリティレベル指定画面の一例を示す図である。図２７に示されるように、表示装置６のユーザはコンテンツセキュリティレベルを例えば「レベル１（公衆への公開可）」や「レベル２（取引先への公開可）」等のように５段階のレベルから指定できる。そして、画面に表示される「決定」のソフトキーが押下されると、次のコンテンツ取得要求の生成処理が実行される。
【０２４４】
図２６に戻り説明する。
【０２４５】
次に、表示装置６のコンテンツ取得要求生成部６５は、出力対象コンテンツ名、表示装置６の識別情報及び指定したコンテンツセキュリティレベルを含むコンテンツ取得要求を生成する（Ｓ５２）。そして、コンテンツ取得要求生成部６５は、送受信部６１を介し、ネットワーク８９３（アクセスポイント４）によりコンテンツ取得要求をコンテンツ管理サーバ８に送信する。
【０２４６】
第２の変形例における次のステップＳ２４以降の処理は図２１とステップＳ２９がない点を除き同じである。第２の変形例では、コンテンツ出力可否の判定処理（Ｓ３０）において、表示装置６から送信されるコンテンツセキュリティレベルを用いるため、本発明の実施の形態のようなコンテンツセキュリティレベルの読出し処理（Ｓ２９）は不要となる。また、そのため、第２の変形例において、コンテンツ管理サーバ８はコンテンツ情報記憶部８４９１を備える必要がない。
【０２４７】
上述したように、第２の変形例におけるコンテンツ管理システム１では、表示装置６のユーザが指定したコンテンツのセキュリティレベルと、エリアのセキュリティレベルとに基づき、コンテンツの表示出力を制御できる。
【０２４８】
なお、第２の変形例におけるコンテンツ管理システム１は、第1の変形例に適用できる。
【０２４９】
《その他の変形例》
なお、本発明の実施の形態において、位置情報管理サーバ９とコンテンツ管理サーバ８とを異なる装置としたが、例えばコンテンツ管理サーバ８が、位置情報管理サーバ９が備える通信端末５の位置情報を管理する機能（図１３参照）を有してもよい。
【０２５０】
以上、本発明の実施の形態について詳述したが、本発明はかかる特定の実施の形態に限定されるものではなく、特許請求の範囲に記載された本発明の要旨の範囲内において、種々の変形、変更が可能である。
【符号の説明】
【０２５１】
１        コンテンツ管理システム
３        配信装置
５        通信端末
６        表示装置
７        ゲートウェイ装置
８        コンテンツ管理サーバ
９        位置情報管理サーバ
４０      受信制御部
５０      無線通信制御部
６５      コンテンツ取得要求生成部
６５ａ    出力可否確認要求生成部
６６      コンテンツ取得要求応答受付部
６６ａ    出力可否確認要求応答受付部
８４２    コンテンツ取得要求受付部
８４２ａ  出力可否確認要求受付部
８４３    コンテンツ取得要求応答部
８４３ａ  出力可否確認要求応答部
８４４    端末位置情報取得部
８４５    出力可否判定部
８４９１  コンテンツ情報記憶部
８４９２  エリア情報記憶部
８４９３  表示装置関連情報記憶部
８４９４  コンテンツデータ記憶部
９９１    位置情報記憶部
【先行技術文献】
【特許文献】
【０２５２】
【特許文献１】特開２０１０−１８８５３７
【図１】
2014096625.tif 000003
【図２】
2014096625.tif 000004
【図３】
2014096625.tif 000005
【図４】
2014096625.tif 000006
【図５】
2014096625.tif 000007
【図６】
2014096625.tif 000008
【図７】
2014096625.tif 000009
【図８】
2014096625.tif 000010
【図９】
2014096625.tif 000011
【図１０】
2014096625.tif 000012
【図１１】
2014096625.tif 000013
【図１２】
2014096625.tif 000014
【図１３】
2014096625.tif 000015
【図１４】
2014096625.tif 000016
【図１５】
2014096625.tif 000017
【図１６】
2014096625.tif 000018
【図１７】
2014096625.tif 000019
【図１８】
2014096625.tif 000020
【図１９】
2014096625.tif 000021
【図２０】
2014096625.tif 000022
【図２１】
2014096625.tif 000023
【図２２】
2014096625.tif 000024
【図２３】
2014096625.tif 000025
【図２４】
2014096625.tif 000026
【図２５】
2014096625.tif 000027
【図２６】
2014096625.tif 000028
【図２７】
2014096625.tif 000029